(57)【要約】  本出願の実施形態はデータ伝送方法を開示しており、この方法は、基地局によって第1のスケジューリング期間に第1のPCRSポートセットおよび第2のPCRSポートセットを決定するステップであって、第1のPCRSポートセットはPCRSを伝送するために使用される少なくとも1つのポートを備えるが、第2のPCRSポートセットは第1のスケジューリング期間にPCRSを伝送するために使用されるポートを備えていない、ステップと、基地局によって第1のPCRSポートセット内のPCRSを伝送するために使用される少なくとも1つのポートに対応する第1の時間周波数リソース要素を決定するステップと、第1の時間周波数リソース要素の数が1以上である場合、基地局によって、第1の時間周波数リソース要素上でPCRSをターゲットユーザ機器に送信するステップと、基地局によって、第2のPCRSポートセットに対応する第2の時間周波数リソース要素上でターゲットユーザ機器にデータを送信するステップと、を含む。本出願の実施形態は、基地局、ユーザ機器、およびシステムをさらに開示する。本出願では、スケジューリング期間において、PCRSポートデータ伝送効率を改善し、PCRSポートリソースを効果的に節約するために、PCRSを伝送するために使用されない時間周波数リソース要素上でデータが伝送される。
2019537310.tif 000002
【特許請求の範囲】
【請求項１】
基地局によって、第1のスケジューリング期間に第1の位相雑音補償パイロット信号PCRSポートセットおよび第2のPCRSポートセットを決定するステップであって、前記第1のPCRSポートセットはPCRSを伝送するために使用される少なくとも1つのポートを含むが、前記第2のPCRSポートセットは前記第1のスケジューリング期間にPCRSを伝送するために使用されるポートを含まない、ステップと、
前記基地局によって、前記第1のPCRSポートセット内のPCRSを伝送するために使用される前記少なくとも1つのポートに対応する第1の時間周波数リソース要素を決定するステップと、
第1の時間周波数リソース要素の数が1以上である場合、前記基地局によって、前記第1の時間周波数リソース要素上でPCRSをターゲットユーザ機器に送信するステップと、
前記基地局によって、前記第2のPCRSポートセットに対応する第2の時間周波数リソース要素上で前記ターゲットユーザ機器にデータを送信するステップと
を含む、データ伝送方法。
【請求項２】
前記基地局によって、前記第1のPCRSポートセット内のPCRSを伝送するために使用される前記少なくとも1つのポートに対応する第1の時間周波数リソース要素を決定する前記ステップの後に、前記方法が、
前記第1の時間周波数リソース要素上で前記基地局によって、前記ターゲットユーザ機器によって送信されたPCRSを受信するステップと、
前記第2のPCRSポートセットに対応する前記第2の時間周波数リソース要素上で前記基地局によって、前記ターゲットユーザ機器によって送信されたデータを受信するステップと
をさらに含む、請求項1に記載の方法。
【請求項３】
基地局によって、第1のスケジューリング期間に第1の位相雑音補償パイロット信号PCRSポートセットおよび第2のPCRSポートセットを決定する前記ステップの後に、前記方法が、
前記基地局によって、前記第1のスケジューリング期間に対応するポート指示情報を生成するステップと、
前記基地局によって、前記ターゲットユーザ機器に前記ポート指示情報を送信するステップであって、前記ポート指示情報は、前記第1のPCRSポートセットを通じて前記PCRSを受信し、前記第2のPCRSポートセットを通じて前記データを受信するために前記ターゲットユーザ機器によって使用される、ステップと
をさらに含む、請求項1に記載の方法。
【請求項４】
前記ポート指示情報が第1の指示情報であり、
前記基地局によって、前記ポート指示情報を前記ターゲットユーザ機器に送信する前記ステップが、
前記基地局によって、前記第1の指示情報を前記ターゲットユーザ機器に送信するステップであって、前記第1の指示情報は、前記第2のPCRSポートセット内の少なくとも1つのPCRSポートのポート番号を示すために使用される、ステップ
を含む、請求項3に記載の方法。
【請求項５】
前記ポート指示情報が第2の指示情報であり、
前記基地局によって、前記ポート指示情報を前記ターゲットユーザ機器に送信する前記ステップが、
前記基地局によって、前記第2の指示情報を前記ターゲットユーザ機器に送信するステップであって、前記第2の指示情報は、前記第1のPCRSポートセット内のPCRSポートの数および／または前記第2のPCRSポートセット内のPCRSポートの数を示すために使用される、ステップ
を含む、請求項3に記載の方法。
【請求項６】
前記ポート指示情報が第3の指示情報であり、
前記基地局によって、前記ポート指示情報を前記ターゲットユーザ機器に送信する前記ステップが、
前記基地局によって、前記第3の指示情報を前記ターゲットユーザ機器に送信するステップであって、前記第3の指示情報は、前記第1のPCRSポートセット内の前記ターゲットユーザ機器に割り当てられた前記第1の時間周波数リソース要素を示すために使用される、ステップ
を含む、請求項3に記載の方法。
【請求項７】
前記基地局によって、前記第1のPCRSポートセット内のPCRSを伝送するために使用される前記少なくとも1つのポートに対応する第1の時間周波数リソース要素を決定する前記ステップが、
前記基地局によって、ターゲット変調および符号化方式MCSを決定するステップであって、前記ターゲットMCSは、前記データを前記ターゲットユーザ機器に送信するために前記基地局によって使用されるMCSを示すために使用される、ステップと、
前記ターゲットMCSに基づいて前記基地局によって、前記第1のPCRSポートセット内のPCRSを伝送するために使用される前記少なくとも1つのポートに対応する前記第1の時間周波数リソース要素を決定するステップと
を含む、請求項1に記載の方法。
【請求項８】
前記基地局によって、前記第1のPCRSポートセット内のPCRSを伝送するために使用される前記少なくとも1つのポートに対応する第1の時間周波数リソース要素を決定する前記ステップが、
前記基地局によって、前記第1のスケジューリング期間に前記ターゲットユーザ機器に前記データを送信するためのスケジューリング帯域幅を決定するステップと、
前記スケジューリング帯域幅に基づいて前記基地局によって、前記第1のPCRSポートセット内のPCRSを伝送するために使用される前記少なくとも1つのポートに対応する前記第1の時間周波数リソース要素を決定するステップと
を含む、請求項1に記載の方法。
【請求項９】
前記基地局によって、前記第1のPCRSポートセット内のPCRSを伝送するために使用される前記少なくとも1つのポートに対応する第1の時間周波数リソース要素を決定する前記ステップの後に、前記方法が、
前記基地局によって、更新された第3の時間周波数リソース要素を取得するために第2のスケジューリング期間に前記第1の時間周波数リソース要素を更新するステップと、
前記基地局によって、前記第3の時間周波数リソース要素上で前記PCRSを送信するステップと
をさらに含む、請求項7または8に記載の方法。
【請求項１０】
第1の時間周波数リソース要素の数が1以上である場合、前記第1の時間周波数リソース要素を使用することによって第1のスケジューリング期間にユーザ機器によって、基地局によって送信された位相雑音補償パイロット信号PCRSを受信するステップであって、前記第1の時間周波数リソース要素は、第1のPCRSポートセット内のPCRSを伝送するために使用される少なくとも1つのポートから前記基地局によって決定される、ステップと、
第2の時間周波数リソース要素を使用することによって前記第1のスケジューリング期間に前記ユーザ機器によって、前記基地局によって送信されたデータを受信するステップであって、前記第2の時間周波数リソース要素は第2のPCRSポートセット内のPCRSを伝送するために使用されない時間周波数リソース要素であり、前記第2のPCRSポートセットは、前記第1のスケジューリング期間にPCRSを伝送するために使用されるポートを含まない、ステップと
を含む、データ伝送方法。
【請求項１１】
前記方法が、
前記ユーザ機器によって、前記第1の時間周波数リソース要素を使用することによってPCRSを前記基地局に送信するステップと、
前記ユーザ機器によって、前記第2の時間周波数リソース要素を使用することによって前記基地局にデータを送信するステップと
をさらに含む、請求項10に記載の方法。
【請求項１２】
第1の時間周波数リソース要素を使用することによって第1のスケジューリング期間にユーザ機器によって、基地局によって送信されたPCRSを受信する前記ステップの前に、前記方法が、
前記ユーザ機器によって、前記基地局によって送信されたポート指示情報を受信するステップであって、前記ポート指示情報は、前記ターゲットユーザ機器によって、前記第1のPCRSポートセットを通じて前記PCRSを受信し、前記第2のPCRSポートセットを通じて前記データを受信するために使用される、ステップ
をさらに含む、請求項10に記載の方法。
【請求項１３】
前記ポート指示情報が第1の指示情報であり、
前記ユーザ機器によって、前記基地局によって送信されたポート指示情報を受信する前記ステップが、
前記ユーザ機器によって、前記基地局によって送信された前記第1の指示情報を受信するステップであって、前記第1の指示情報は、前記第2のPCRSポートセット内の少なくとも1つのPCRSポートのポート番号を示すために使用される、ステップ
を含む、請求項12に記載の方法。
【請求項１４】
前記ポート指示情報が第2の指示情報であり、
前記ユーザ機器によって、前記基地局によって送信されたポート指示情報を受信する前記ステップが、
前記ユーザ機器によって、前記基地局によって送信された前記第2の指示情報を受信するステップであって、前記第2の指示情報は、前記第1のPCRSポートセット内のPCRSポートの数および／または前記第2のPCRSポートセット内のPCRSポートの数を示すために使用される、ステップ
を含む、請求項12に記載の方法。
【請求項１５】
前記ポート指示情報が第3の指示情報であり、
前記ユーザ機器によって、前記基地局によって送信されたポート指示情報を受信する前記ステップが、
前記ユーザ機器によって、前記基地局によって送信された前記第3の指示情報を受信するステップであって、前記第3の指示情報は、前記基地局によって前記第1のPCRSポートセット内の前記ターゲットユーザ機器に割り当てられた前記第1の時間周波数リソース要素を示すために使用される、ステップ
を含む、請求項12に記載の方法。
【請求項１６】
第1の時間周波数リソース要素を使用することによって第1のスケジューリング期間にユーザ機器によって、基地局によって送信された位相雑音補償パイロット信号PCRSを受信する前記ステップが、
前記ユーザ機器によって、前記基地局によって決定されたターゲット変調および符号化方式MCSを受信するステップであって、前記ターゲットMCSは、前記データを前記ターゲットユーザ機器に送信するために前記基地局によって使用されるMCSを示すために使用される、ステップと、
前記ターゲットMCSに基づいて前記第1の時間周波数リソース要素を使用することによって、前記第1のスケジューリング期間に前記ユーザ機器によって、前記基地局によって送信された前記PCRSを受信するステップと
を含む、請求項10に記載の方法。
【請求項１７】
第1の時間周波数リソース要素を使用することによって第1のスケジューリング期間にユーザ機器によって、基地局によって送信された位相雑音補償パイロット信号PCRSを受信する前記ステップの後に、前記方法が、
前記ユーザ機器によって、第3の時間周波数リソース要素上で前記PCRSを受信するステップであって、前記基地局が第2のスケジューリング期間に前記第1の時間周波数リソース要素を更新した後に前記第3の時間周波数リソース要素が得られる、ステップ
をさらに含む、請求項16に記載の方法。
【請求項１８】
第1のスケジューリング期間に第1の位相雑音補償パイロット信号PCRSポートセットおよび第2のPCRSポートセットを決定するように構成された第1の決定モジュールであって、前記第1のPCRSポートセットは、PCRSを伝送するために使用される少なくとも1つのポートを含むが、前記第2のPCRSポートセットは、前記第1のスケジューリング期間にPCRSを伝送するために使用されるポートを含まない、第1の決定モジュールと、
前記第1の決定モジュールによって決定された前記第1のPCRSポートセット内のPCRSを伝送するために使用される前記少なくとも1つのポートに対応する第1の時間周波数リソース要素を決定するように構成された第2の決定モジュールと、
第1の時間周波数リソース要素の数が1以上である場合、前記第2の決定モジュールによって決定された前記第1の時間周波数リソース要素上でターゲットユーザ機器にPCRSを送信するように構成された第1の送信モジュールと、
前記第1の決定モジュールによって決定された前記第2のPCRSポートセットに対応する第2の時間周波数リソース要素上で前記ターゲットユーザ機器にデータを送信するように構成された第2の送信モジュールと、
を備える、基地局。
【請求項１９】
前記基地局が、
前記第2の決定モジュールが、前記第1のPCRSポートセット内のPCRSを伝送するために使用される前記少なくとも1つのポートに対応する前記第1の時間周波数リソース要素を決定した後、前記第1の時間周波数リソース要素上で、前記ターゲットユーザ機器によって送信されたPCRSを受信するように構成された第1の受信モジュールと、
前記第2のPCRSポートセットに対応する前記第2の時間周波数リソース要素上で、前記ターゲットユーザ機器によって送信されたデータを受信するように構成された第2の受信モジュールと
をさらに備える、請求項18に記載の基地局。
【請求項２０】
前記基地局が、
前記第1の決定モジュールが前記第1のスケジューリング期間に前記第1の位相雑音補償パイロット信号PCRSポートセットおよび前記第2のPCRSポートセットを決定した後、前記第1のスケジューリング期間に対応するポート指示情報を生成するように構成された生成モジュールと、
前記生成モジュールによって生成された前記ポート指示情報を前記ターゲットユーザ機器に送信するように構成された第3の送信モジュールであって、前記ポート指示情報は、前記第1のPCRSポートセットを通じて前記PCRSを受信し、前記第2のPCRSポートセットを通じて前記データを受信するために前記ターゲットユーザ機器によって使用される、第3の送信モジュールと
をさらに備える、請求項18に記載の基地局。
【請求項２１】
前記ポート指示情報が第1の指示情報であり、
前記第3の送信モジュールが、
前記第1の指示情報を前記ターゲットユーザ機器に送信するように構成された第1の送信ユニットであって、前記第1の指示情報は、前記第2のPCRSポートセット内の少なくとも1つのPCRSポートのポート番号を示すために使用される、第1の送信ユニット
を備える、請求項20に記載の基地局。
【請求項２２】
前記ポート指示情報が第2の指示情報であり、
前記第3の送信モジュールが、
前記第2の指示情報を前記ターゲットユーザ機器に送信するように構成された第2の送信ユニットであって、前記第2の指示情報は、前記第1のPCRSポートセット内のPCRSポートの数および／または前記第2のPCRSポートセット内のPCRSポートの数を示すために使用される、第2の送信ユニット
を備える、請求項20に記載の基地局。
【請求項２３】
前記ポート指示情報が第3の指示情報であり、
前記第3の送信モジュールが、
前記第3の指示情報を前記ターゲットユーザ機器に送信するように構成された第3の送信ユニットであって、前記第3の指示情報は、前記第1のPCRSポートセット内の前記ターゲットユーザ機器に割り当てられた前記第1の時間周波数リソース要素を示すために使用される、第3の送信ユニット
を備える、請求項20に記載の基地局。
【請求項２４】
前記第2の決定モジュールが、
ターゲット変調および符号化方式MCSを決定するように構成された第1の決定ユニットであって、前記ターゲットMCSは、前記データを前記ターゲットユーザ機器に送信するために前記基地局によって使用されるMCSを示すために使用される、第1の決定ユニットと、
前記第1の決定ユニットによって決定された前記ターゲットMCSに基づいて、前記第1のPCRSポートセット内のPCRSを伝送するために使用される前記少なくとも1つのポートに対応する前記第1の時間周波数リソース要素を決定するように構成された第2の決定ユニットと
を備える、請求項18に記載の基地局。
【請求項２５】
前記第2の決定モジュールが、
前記第1のスケジューリング期間に前記データを前記ターゲットユーザ機器に送信するためのスケジューリング帯域幅を決定するように構成された第3の決定ユニットと、
前記第3の決定ユニットによって決定された前記スケジューリング帯域幅に基づいて、前記第1のPCRSポートセット内のPCRSを伝送するために使用される前記少なくとも1つのポートに対応する前記第1の時間周波数リソース要素を決定するように構成された第4の決定ユニットと
を備える、請求項18に記載の基地局。
【請求項２６】
前記基地局が、
前記第2の決定モジュールが、前記第1のPCRSポートセット内のPCRSを伝送するために使用される前記少なくとも1つのポートに対応する前記第1の時間周波数リソース要素を決定した後、更新された第3の時間周波数リソース要素を取得するために第2のスケジューリング期間に前記第1の時間周波数リソース要素を更新するように構成された更新モジュールと、
前記更新モジュールによって更新された前記第3の時間周波数リソース要素上で前記PCRSを送信するように構成された第4の送信モジュールと
をさらに備える、請求項24または25に記載の基地局。
【請求項２７】
第1の時間周波数リソース要素の数が1以上である場合、第1の時間周波数リソース要素を使用することによって第1のスケジューリング期間に、基地局によって送信された位相雑音補償パイロット信号PCRSを受信するように構成された第1の受信モジュールであって、前記第1の時間周波数リソース要素は、第1のPCRSポートセット内のPCRSを伝送するために使用される少なくとも1つのポートから前記基地局によって決定される、第1の受信モジュールと、
第2の時間周波数リソース要素を使用することによって前記第1のスケジューリング期間に前記基地局によって送信されたデータを受信するように構成された第2の受信モジュールであって、前記第2の時間周波数リソース要素は第2のPCRSポートセット内のPCRSを伝送するために使用されない時間周波数リソース要素であり、前記第2のPCRSポートセットは、前記第1のスケジューリング期間にPCRSを伝送するために使用されるポートを含まない、第2の受信モジュールと
を備える、ユーザ機器。
【請求項２８】
前記ユーザ機器が、
前記第1の時間周波数リソース要素を使用することによってPCRSを前記基地局に送信するように構成された第1の送信モジュールと、
前記第2の時間周波数リソース要素を使用することによって前記基地局にデータを送信するように構成された第2の送信モジュールと
をさらに備える、請求項27に記載のユーザ機器。
【請求項２９】
前記ユーザ機器が、
前記第1の受信モジュールが、前記第1の時間周波数リソース要素を使用することによって前記第1のスケジューリング期間に、前記基地局によって送信された前記PCRSを受信する前に、前記基地局によって送信されたポート指示情報を受信するように構成された第3の受信モジュールであって、前記ポート指示情報は、前記第1のPCRSポートセットを通じて前記PCRSを受信し、前記第2のPCRSポートセットを通じて前記データを受信するために前記ターゲットユーザ機器によって使用される、第3の受信モジュール
をさらに備える、請求項27に記載のユーザ機器。
【請求項３０】
前記ポート指示情報が第1の指示情報であり、
前記第3の受信モジュールが、
前記基地局によって送信された前記第1の指示情報を受信するように構成された第1の受信ユニットであって、前記第1の指示情報は、前記第2のPCRSポートセット内の少なくとも1つのPCRSポートのポート番号を示すために使用される、第1の受信ユニット
を備える、請求項29に記載のユーザ機器。
【請求項３１】
前記ポート指示情報が第2の指示情報であり、
前記第3の受信モジュールが、
前記基地局によって送信された前記第2の指示情報を受信するように構成された第2の受信ユニットであって、前記第2の指示情報は、前記第1のPCRSポートセット内のPCRSポートの数および／または前記第2のPCRSポートセット内のPCRSポートの数を示すために使用される、第2の受信ユニット
を備える、請求項29に記載のユーザ機器。
【請求項３２】
前記ポート指示情報が第3の指示情報であり、
前記第3の受信モジュールが、
前記基地局によって送信された前記第3の指示情報を受信するように構成された第3の受信ユニットであって、前記第3の指示情報は、前記基地局によって前記第1のPCRSポートセット内の前記ターゲットユーザ機器に割り当てられた前記第1の時間周波数リソース要素を示すために使用される、第3の受信ユニット
を備える、請求項29に記載のユーザ機器。
【請求項３３】
前記第1の受信モジュールが、
前記基地局によって決定されたターゲット変調および符号化方式MCSを受信するように構成された第4の受信ユニットであって、前記ターゲットMCSは、前記データを前記ターゲットユーザ機器に送信するために前記基地局によって使用されるMCSを示すために使用される、第4の受信ユニットと、
前記第4の受信ユニットによって受信された前記ターゲットMCSに基づく前記第1の時間周波数リソース要素を使用することによって前記第1のスケジューリング期間に、前記基地局によって送信された前記PCRSを受信するように構成された第5の受信ユニットと
を備える、請求項27に記載のユーザ機器。
【請求項３４】
前記ユーザ機器が、
前記第1の受信モジュールが、前記第1の時間周波数リソース要素を使用することによって前記第1のスケジューリング期間に、前記基地局によって送信された前記位相雑音補償パイロット信号PCRSを受信した後に、第3の時間周波数リソース要素上で前記PCRSを受信するように構成された第4の受信モジュールであって、前記第3の時間周波数リソース要素は、第2のスケジューリング期間に前記基地局が前記第1の時間周波数リソース要素を更新した後に得られる、第4の受信モジュール
をさらに備える、請求項33に記載のユーザ機器。
【請求項３５】
メモリ、トランシーバ、プロセッサ、およびバスシステムを備えた基地局であって、
前記メモリはプログラムを格納するように構成され、
前記プロセッサは、前記メモリ内の前記プログラムを実行して、具体的には、
第1のスケジューリング期間に第1の位相雑音補償パイロット信号PCRSポートセットおよび第2のPCRSポートセットを決定するステップであって、前記第1のPCRSポートセットはPCRSを伝送するために使用される少なくとも1つのポートを含むが、前記第2のPCRSポートセットは前記第1のスケジューリング期間にPCRSを伝送するために使用されるポートを含まない、ステップと、
前記第1のPCRSポートセット内のPCRSを伝送するために使用される前記少なくとも1つのポートに対応する第1の時間周波数リソース要素を決定するステップと、
第1の時間周波数リソース要素の数が1以上である場合、前記第1の時間周波数リソース要素上でPCRSをターゲットユーザ機器に送信するように前記トランシーバを制御するステップと、
前記第2のPCRSポートセットに対応する第2の時間周波数リソース要素上で前記ターゲットユーザ機器にデータを送信するように前記トランシーバを制御するステップと
を実行するように構成されている、基地局。
【請求項３６】
メモリ、トランシーバ、プロセッサ、およびバスシステムを備えたユーザ機器であって、
前記メモリはプログラムを格納するように構成され、具体的には、
前記プロセッサは、前記メモリ内の前記プログラムを実行して、
第1の時間周波数リソース要素の数が1以上である場合、第1の時間周波数リソース要素を使用することによって第1のスケジューリング期間に、基地局によって送信された位相雑音補償パイロット信号PCRSを受信するように前記トランシーバを制御するステップであって、前記第1の時間周波数リソース要素は、第1のPCRSポートセット内のPCRSを伝送するために使用される少なくとも1つのポートから前記基地局によって決定される、ステップと、
第2の時間周波数リソース要素を使用することによって前記第1のスケジューリング期間に、前記基地局によって送信されたデータを受信するように前記トランシーバを制御するステップであって、前記第2の時間周波数リソース要素は第2のPCRSポートセット内のPCRSを伝送するために使用されない時間周波数リソース要素であり、前記第2のPCRSポートセットは、前記第1のスケジューリング期間にPCRSを伝送するために使用されるポートを含まない、ステップと
を実行するように構成されている、ユーザ機器。
【請求項３７】
基地局およびユーザ機器を備えたデータ伝送システムであって、
前記基地局は、請求項18から26のいずれか一項に記載の基地局であり、
前記ユーザ機器は、請求項27から34のいずれか一項に記載のユーザ機器である、
データ伝送システム。
【発明の詳細な説明】
【技術分野】
【０００１】
本出願は、2016年9月30日に中国特許庁に提出された、「DATA TRANSMISSION METHOD，RELATED APPARATUS，AND SYSTEM」と題された中国特許出願第201610876822．5号に対する優先権を主張し、その全体が参照により本明細書に組み込まれる。
【０００２】
本出願は、通信技術の分野に関し、特に、データ伝送方法、関連装置、およびシステムに関する。
【背景技術】
【０００３】
通信システムでは、進化型NodeB（evolved Node B、略してeNB）やユーザ機器（User Equipment、略してUE）などの通信機器における様々な無線周波数成分があるとき、出力信号の位相がランダムに変化し、つまり、位相雑音が発生し、その結果、信号復調が困難になる。位相雑音は通常、共通位相雑音誤差（Common Phase Noise Error、略してCPE）およびサブキャリア間干渉（Inter sub−carrier interference、略してICI）をもたらす。サブキャリア上の信号について、CPEは、サブキャリア上の信号が位相雑音の影響を受けるときに生じる歪みであり、ICIは、位相雑音のために他のサブキャリア上で搬送される信号からサブキャリア上の信号への干渉である。低周波システムでは、位相雑音は主にキャリア周波数の増加とともに増加するので、位相雑音は比較的小さい影響を与える。しかしながら、高周波システムでは、位相雑音は復調性能を著しく低下させる。
【０００４】
現在、位相雑音を補償するために使用される位相雑音補償基準信号（phase noise compensation reference signal、略してPCRS）が設計されている。具体的には、図1Aおよび図1Bに示すように、一例として、リソースブロック2が用いられる。PCRSを入力するためのポートを2つ設け、スケジューリング期間に基地局がPCRSポートの1つを選択してPCRS伝送を行い、位相雑音を補償して信号伝送精度を向上させることができる。
【０００５】
しかしながら、既存の解決策では、基地局がPCRSを伝送するためにスケジューリング期間内にPCRSポートのうちの1つだけをスケジュールする場合、データは残りのスケジューリングされていないPCRSポートを介して伝送されない。その結果、PCRSポートデータ伝送効率が低下し、PCRSポートリソースが無駄になる。
【発明の概要】
【０００６】
本出願の実施形態は、データ伝送方法、関連装置、およびシステムを提供する。スケジューリング期間において、PCRSを伝送するために使用される第1の時間周波数リソース要素が決定され得、PCRSを伝送するために使用されない残りのすべての時間周波数リソース要素上で有効データが伝送され得、PCRSポートデータ伝送効率を改善し、効果的にPCRSポートリソースを節約する。
【課題を解決するための手段】
【０００７】
上記を考慮して、本出願の第1の態様はデータ伝送方法を提供し、その方法は最初にeNBの観点から説明される。eNBは以下のステップを実行する。
【０００８】
通信システムでは、eNBおよびUE内の様々な無線周波数成分が雑音の影響を受けると、出力信号の位相がおそらくランダムに変化し、その結果、信号復調が困難になる。したがって、位相雑音を補償するために使用される信号、すなわちPCRSが設計される。最初に、eNBは、第1のスケジューリング期間において第1のPCRSポートセットおよび第2のPCRSポートセットを決定し得る。第1のPCRSポートセットおよび第2のPCRSポートセットはそれぞれ、少なくとも1つのPCRSポートを含む。違いは、第1のPCRSポートセット内のPCRSポートが第1のスケジューリング期間にPCRSを伝送するために使用され得るが、第2のPCRSポートセット内のPCRSポートは第1のスケジューリング期間にPCRSを伝送するために使用されないことである。確かに、位相雑音は特別な場合には存在しない可能性があり、PCRSは第1のPCRSポートセットを通して伝送される必要はない。
【０００９】
次いで、eNBは、第1のPCRSポートセット内にあり、実際にPCRSを伝送するために使用される少なくとも1つの第1の時間周波数リソース要素を決定する必要があり、時間周波数リソース要素はリソース要素とも呼ばれる。eNBが、第1の時間周波数リソース要素の数が1以上であると判断した場合、位相雑音が第1のスケジューリング期間に存在することを示し、したがって、位相雑音を補償するために、PCRSを第1の時間周波数リソース要素上でターゲットユーザ機器に送信する必要がある。eNBが、第1の時間周波数リソース要素の数が0に等しいと判断した場合、第1のスケジューリング期間にごくわずかな位相雑音が存在し、ほとんど無視できることを示し、したがって、PCRSは第1のスケジューリング期間に送信される必要はない。
【００１０】
さらに、eNBはまた、第2のPCRSポートセットに対応する第2の時間周波数リソース要素上でデータがターゲットUEに送信され得ることを決定する。
【００１１】
本出願のこの実施形態は、データ伝送方法を提供する。eNBは、最初に第1のスケジューリング期間において第1のPCRSポートセットおよび第2のPCRSポートセットを決定し、第1のPCRSポートセットはPCRSを伝送するために使用される少なくとも1つのポートを含むが、第2のPCRSポートセットは第1のスケジューリング期間にPCRSを伝送するために使用されるポートを含まず、次いで、eNBは、第1のPCRSポートセット内のPCRSを伝送するために使用される少なくとも1つのポートに対応する第1の時間周波数リソース要素を決定し、eNBは、第1の時間周波数リソース要素上でPCRSをターゲットUEに送信し、第2のPCRSポートセットに対応する第2の時間周波数リソース要素上でターゲットUEにデータを送信する。上記のように、スケジューリング期間において、eNBは、PCRSを伝送するために使用される第1の時間周波数リソース要素を決定し、PCRSを伝送するために使用されない残りのすべての時間周波数リソース要素上で有効データが伝送され得、PCRSポートデータ伝送効率を改善し、効果的にPCRSポートリソースを節約する。
【００１２】
本出願の実施形態の第1の態様を参照すると、第1の可能な実装形態では、eNBは、第1のPCRSポートセット内のPCRSを伝送するために使用される少なくとも1つのポートに対応する第1の時間周波数リソース要素を決定した後、次のステップをさらに実行することができる。
【００１３】
アップリンクデータの送受信に加えて、ダウンリンクデータの送受信がeNBとUEとの間で行われてもよい。つまり、eNBは、ターゲットUEによって送信されたPCRSを第1の時間周波数リソース要素上で受信することができ、eNBは、第2のPCRSポートセットに対応する第2の時間周波数リソース要素上で、ターゲットUEによって送信されたデータを受信する。
【００１４】
本出願のこの実施形態では、eNBは、第1の時間周波数リソース要素を使用することによって、ターゲットUEによって送信されたPCRSを受信することができ、第1の時間周波数リソース要素を使用することによってPCRSをターゲットUEにさらに送信することができる。同様に、eNBは、第2の時間周波数リソース要素を使用することによって、ターゲットUEによって送信されたデータを受信し、第1の時間周波数リソース要素を使用することによってデータをターゲットUEにさらに送信することができる。上記のようにして、アップリンクデータ伝送およびダウンリンクデータ伝送の完全性が保証され、それによってこの解決策の実用性が向上する。
【００１５】
本出願の実施形態の第1の態様を参照すると、第2の可能な実装形態において、第1のスケジューリング期間に第1のPCRSポートセットおよび第2のPCRSポートセットを決定した後、eNBは具体的には以下のステップをさらに実行することができる。
【００１６】
eNBは第1のスケジューリング期間に対応するポート指示情報をさらに生成し、次いでeNBはポート指示情報をターゲットUEに送信し、ここでポート指示情報は、主に、ターゲットUEが第1のPCRSポートセットを通じてPCRSを受信し、第2のPCRSポートセットを通じてデータを受信する必要があることを示すために使用される。
【００１７】
ポート指示情報は、eNBおよびUEによって交渉された合意と見なすことができ、ポート指示情報を使用することによって、UEは、eNBがPCRSおよび／またはデータをUEに送信すべき経路を知ることができる。
【００１８】
本出願のこの実施形態では、eNBが第1のスケジューリング期間に第1のPCRSポートセットおよび第2のPCRSポートセットを決定した後、eNBは第1のスケジューリング期間に対応するポート指示情報を生成し、次いでポート指示情報をターゲットUEに送信し、その結果、ターゲットUEは、ポート指示情報に従って、第1のPCRSポートセットを通じてPCRSを受信し、第2のPCRSポートセットを通じてデータを受信することを決定する。前述の方法で、この解決策の実現可能性を保証するために、eNBはポート指示情報を使用して、データを受信するための特定のPCRSポートをUEに通知することができる。さらに、eNBとUEとの間のデータおよびPCRSの送受信の状態は、この解決策の精度および信頼性を改善するために、ポート指示情報を使用することによって決定され得る。
【００１９】
本出願の実施形態の第1の態様の第2の可能な実装形態を参照すると、第3の可能な実装形態において、eNBがポート指示情報をターゲットUEに送信することは具体的には以下を含み得る：
eNBは、第2のPCRSポートセット内の少なくとも1つのPCRSポートのポート番号をターゲットUEに送信することができ、次いでターゲットUEは、ポート番号に基づいて第2のPCRSポートセット内の少なくとも1つのPCRSポートを決定する。つまり、ポート指示情報は第1の指示情報であり、eNBは、第2のPCRSポートセット内の少なくとも1つのPCRSポートのポート番号を第1の指示情報に追加することができる。
【００２０】
ポート番号に対応しかつデータを伝送するために使用される特定のPCRSポートに加えて、eNBは、ポート番号に対応しかつPCRSを伝送するために使用される特定のPCRSポートをターゲットUEに通知することができることに留意されたい。
【００２１】
本出願のこの実施形態では、UEは、ポート番号を使用することによって、第1のPCRSポートセットを通じてPCRSを受信し、第2のPCRSポートセットを通じてデータを受信することを決定する。前述のように、eNBは、ポート番号に対応しかつデータを受信するために使用される特定のPCRSポートをターゲットUEに通知することができ、したがって、この解決策の実現可能性および信頼性を改善するために、eNBとUEとの間のデータおよびPCRSの送受信を決定する実現可能な方法が提供される。
【００２２】
本出願の実施形態の第1の態様の第2の可能な実装形態を参照すると、第4の可能な実装形態では、eNBがポート指示情報をターゲットUEに送信することは具体的には以下を含み得る：
eNBは、第1のPCRSポートセット内のPCRSポートの数および／または第2のPCRSポートセット内のPCRSポートの数をターゲットUEに送信することができ、その結果、ターゲットUEは、PCRSポートの数に基づいて、データ受信用の特定のPCRSポートを決定する。つまり、ポート指示情報は第2の指示情報であり、eNBは、第2の指示情報に、第1のPCRSポートセット内のPCRSポートの数および／または第2のPCRSポートセット内のPCRSポートの数に対応する識別子情報を追加することができる。
【００２３】
本出願のこの実施形態では、UEは、いくつかのPCRSポートを介して、第1のPCRSポートセットを通るPCRSを受信し、第2のPCRSポートセットを通るデータを受信することを決定する。前述の方法で、eNBは、PCRSポートの数に対応しかつデータを受信するために使用される特定のPCRSポートと、PCRSポートの数に対応しかつPCRSを受信するために使用される特定のPCRSポートとをターゲットUEに通知することができ、したがって、この解決策の実現可能性および信頼性を向上させるために、eNBとUEとの間のデータおよびPCRSの送受信を決定する実行可能な方法が提供される。
【００２４】
本出願の実施形態の第1の態様の第2の可能な実装形態を参照すると、第5の可能な実装形態において、eNBがポート指示情報をターゲットUEに送信することは具体的には以下を含み得る：
eNBは、PCRS割り当て情報、すなわち第3の指示情報をターゲットUEに直接送信し、第3の指示情報に、eNBによって第1のPCRSポートセット内のターゲットUEに割り当てられたPCRSの識別子と、PCRSが配置されている第1の時間周波数リソース要素とを追加することができる。
【００２５】
ここで、eNBは、他の属性情報を使用することによって、PCRSおよびデータを伝送するための時間周波数リソース要素をターゲットUEに間接的に通知する必要がないと見なすことができる。その代わりに、eNBは、ターゲットUEに送信されるべき特定のデータおよび特定のPCRSをターゲットUEに直接通知する。
【００２６】
本出願のこの実施形態では、UEは、PCRS割り当て情報を使用することによって、PCRSを伝送するために使用される第1の時間周波数リソース要素を直接決定し、UEは第1の時間周波数リソース要素を使用することによって、eNBによって送信されたPCRSを受信する。上記のように、UEは、マッピング関係を決定する必要なしに、PCRSを受信するための特定の時間周波数リソース要素をより迅速かつ正確に知ることができ、UEのコンピューティングリソースを節約し、データ伝送の信頼性をさらに向上させる。
【００２７】
本出願の実施形態の第1の態様を参照すると、第6の可能な実装形態では、eNBは、第1のPCRSポートセット内のPCRSを伝送するために使用される少なくとも1つのポートに対応する第1の時間周波数リソース要素を決定することは、具体的には以下のステップを含み得る：
【００２８】
eNBは、現在のチャネル状態に基づいて、ターゲットUEとの通信に使用されるべきターゲットMCSを決定し、次いで、eNBは、制御シグナリングを使用することにより、ターゲットUEに使用されるべきターゲットMCSを通知する。また、MCSとPCRSとの伝送パターンの対応関係は、eNB側とUE側の両方で維持される。この場合、ターゲットUEは、制御シグナリングで通知されたターゲットMCSに基づいて、PCRSがPCRSポートを介して伝送されるかどうかを決定することができる。PCRSが伝送されると決定された場合、ターゲットUEは、どのポートのどの時間周波数リソース要素がPCRSを伝送するために使用されるかをさらに決定することができる。eNBは、ターゲットMCSに基づいて、第1のPCRSポートセット内のPCRSを伝送するために使用される少なくとも1つのポートに対応する第1の時間周波数リソース要素を決定し、事前に第1の時間周波数リソース要素を構成してもよく、実際の状況に基づいて第1の時間周波数リソース要素を調整してもよい。
【００２９】
本出願のこの実施形態では、eNBは、第1のPCRSポートセット内の対応する第1の時間周波数リソース要素を決定する。具体的には、eNBは最初にMCSを決定することができ、ターゲットMCSは、データをターゲットUEに送信するためにeNBによって使用されるMCSを示すために使用される。次いで、eNBは、ターゲットMCSに基づいて、第1のPCRSポートセット内のPCRSを伝送するために使用される少なくとも1つのポートに対応する第1の時間周波数リソース要素を決定する。さらに、ターゲットUEはまた、eNBによって決定されたターゲットMCSに基づいて第1の時間周波数リソース要素を使用することによって第1のスケジューリング期間に、eNBによって送信されたPCRSを受信することができる。上記のように、eNBは、制御シグナリングにおいて追加のビットを占有する必要なしに暗黙の方法で、PCRSを伝送するために使用された対応する第1の時間周波数リソース要素をUEに通知する。eNBによってスケジュールされたMCSに基づいて、UEは、制御シグナリングのオーバヘッドを減らし、通信システムの効率を改善するために、PCRSを伝送するために使用される第1の時間周波数リソース要素を知ることができる。
【００３０】
本出願の実施形態の第1の態様を参照すると、第7の可能な実装形態では、eNBが、第1のPCRSポートセット内のPCRSを伝送するために使用される少なくとも1つのポートに対応する第1の時間周波数リソース要素を決定することは、具体的には以下のステップを含み得る：
【００３１】
eNBは、第1のスケジューリング期間に、ターゲットUEにデータを送信するためのスケジューリング帯域幅を検出することができ、eNBは、決定されたスケジューリング帯域幅に基づいて、PCRSを送信するために使用される第1の時間周波数リソース要素を決定する、すなわち、第1のPCRSポートセット内のPCRSを送信するために使用される少なくとも1つのポートに対応する第1の時間周波数リソース要素を決定する。
【００３２】
本出願のこの実施形態では、eNBは、第1のPCRSポートセット内の対応する第1の時間周波数リソース要素を決定する。具体的には、eNBは、第1のスケジューリング期間にターゲットUEにデータを送信するためのスケジューリング帯域幅を最初に決定することができ、次いで、eNBは、スケジューリング帯域幅に基づいて、第1のPCRSポートセット内のPCRSを伝送するために使用される少なくとも1つのポートに対応する第1の時間周波数リソース要素を決定する。前述の方法で、eNBは、この解決策の実用性および操作性を改善するために、スケジューリング帯域幅に基づいて第1の時間周波数リソース要素を決定することができる。
【００３３】
本出願の実施形態の第1の態様の第6または第7の可能な実装形態を参照すると、第8の可能な実装形態では、第1のPCRSポートセット内のPCRSを伝送するために使用される少なくとも1つのポートに対応する第1の時間周波数リソース要素を決定した後、eNBは以下のステップをさらに実行することができる：
【００３４】
eNB内のスケジューラは、次の期間、すなわち第2のスケジューリング期間のスケジューリングを開始し、次いで、更新された第3の時間周波数リソース要素を取得するために第2のスケジューリング期間に第1の時間周波数リソース要素を更新する。eNBは、第3の時間周波数リソース要素上でPCRSをUEに送信し、eNBはまた、第3の時間周波数リソース要素以外の第1のPCRSポートセット内の時間周波数リソース要素上で有効データを送信する。
【００３５】
さらに、本出願のこの実施形態では、eNBが、第1のPCRSポートセット内のPCRSを伝送するために使用される少なくとも1つのポートに対応する第1の時間周波数リソース要素を決定した後、eNBは、更新された第3の時間周波数リソース要素を取得するために第2のスケジューリング期間に第1の時間周波数リソース要素をさらに更新することができ、eNBは、第3の時間周波数リソース要素上でPCRSを送信する。前述のように、eNBは、各スケジューリング期間においてPCRSを動的に構成し、PCRSを伝送するために使用される時間周波数リソース要素を決定して、この解決策の実用性および柔軟性を向上させることができる。
【００３６】
本出願の第2の態様はデータ伝送方法を提供し、次いでこの方法はUEの観点から説明される。UEは以下のステップを実行する：
【００３７】
通信システムでは、eNBおよびUE内の様々な無線周波数成分が雑音の影響を受けると、出力信号の位相がおそらくランダムに変化し、その結果、信号復調が困難になる。したがって、位相雑音を補償するために使用される信号、すなわちPCRSが設計される。まず、eNBが、第1の時間周波数リソース要素の数が1以上であると判断した場合、UEは、第1のスケジューリング期間において、第1の時間周波数リソース要素上でeNBによって送信されたPCRSを受信することができ、第2の時間周波数リソース要素上で有効データをさらに受信することができる。第1の時間周波数リソース要素は第1のPCRSポートセット内にあり、第2の時間周波数リソース要素は第2のPCRSポートセット内の時間周波数リソース要素である。
【００３８】
本出願のこの実施形態は、データ伝送方法を提供する。eNBは、最初に第1のスケジューリング期間において第1のPCRSポートセットおよび第2のPCRSポートセットを決定し、第1のPCRSポートセットはPCRSを伝送するために使用される少なくとも1つのポートを含むが、第2のPCRSポートセットは第1のスケジューリング期間にPCRSを伝送するために使用されるポートを含まず、次いで、eNBは、第1のPCRSポートセット内のPCRSを伝送するために使用される少なくとも1つのポートに対応する第1の時間周波数リソース要素を決定し、eNBは、第1の時間周波数リソース要素上でPCRSをターゲットUEに送信し、第2のPCRSポートセットに対応する第2の時間周波数リソース要素上でターゲットUEにデータを送信する。上記のように、スケジューリング期間において、eNBは、PCRSを伝送するために使用される第1の時間周波数リソース要素を決定し、PCRSを伝送するために使用されない残りのすべての時間周波数リソース要素上で有効データが伝送され得、PCRSポートデータ伝送効率を改善し、効果的にPCRSポートリソースを節約する。
【００３９】
本出願の実施形態の第2の態様を参照すると、第1の可能な実装形態では、UEは以下のステップをさらに実行することができる：
【００４０】
アップリンクデータの送受信に加えて、ダウンリンクデータの送受信がeNBとUEとの間で行われてもよい。つまり、UEは、第1の時間周波数リソース要素を使用することによってPCRSをeNBに送信し、第2の時間周波数リソース要素を使用することによってeNBにデータを送信することができる。
【００４１】
本出願のこの実施形態では、eNBは、第1の時間周波数リソース要素を使用することによって、ターゲットUEによって送信されたPCRSを受信することができ、第1の時間周波数リソース要素を使用することによってPCRSをターゲットUEにさらに送信することができる。同様に、eNBは、第2の時間周波数リソース要素を使用することによって、ターゲットUEによって送信されたデータを受信し、第1の時間周波数リソース要素を使用することによってデータをターゲットUEにさらに送信することができる。上記のようにして、アップリンクデータ伝送およびダウンリンクデータ伝送の完全性が保証され、それによってこの解決策の実用性が向上する。
【００４２】
本出願の実施形態の第2の態様を参照すると、第2の可能な実装形態では、UEが、第1の時間周波数リソース要素を使用することによって第1のスケジューリング期間に、eNBによって送信されたPCRSを受信する前に、UEは具体的には以下のステップをさらに実行することができる：
【００４３】
eNBは、第1のスケジューリング期間に対応するポート指示情報をさらに生成し、次いでポート指示情報をUEに送信する。UEは、基地局によって送信されたポート指示情報を受信し、ポート指示情報を使用することによって、PCRSが第1のPCRSポートセットを通じて受信される必要があり、有効データが第2のPCRSポートセットを通じて受信される必要があることを知ることができる。
【００４４】
ポート指示情報は、eNBおよびUEによって交渉された合意と見なすことができ、ポート指示情報を使用することによって、UEは、eNBがPCRSおよび／またはデータをUEに送信すべき経路を知ることができる。
【００４５】
本出願のこの実施形態では、eNBが第1のスケジューリング期間に第1のPCRSポートセットおよび第2のPCRSポートセットを決定した後、eNBは第1のスケジューリング期間に対応するポート指示情報を生成し、次いでポート指示情報をターゲットUEに送信し、その結果、ターゲットUEは、ポート指示情報に従って、第1のPCRSポートセットを通じてPCRSを受信し、第2のPCRSポートセットを通じてデータを受信することを決定する。前述の方法で、この解決策の実現可能性を保証するために、eNBはポート指示情報を使用して、データを受信するための特定のPCRSポートをUEに通知することができる。さらに、eNBとUEとの間のデータおよびPCRSの送受信の状態は、この解決策の精度および信頼性を改善するために、ポート指示情報を使用することによって決定され得る。
【００４６】
本出願の実施形態の第2の態様の第2の可能な実装形態を参照すると、第3の可能な実装形態において、UEがeNBによって送信されたポート指示情報を受信することは具体的には以下を含み得る：
eNBは、第2のPCRSポートセット内の少なくとも1つのPCRSポートのポート番号をターゲットUEに送信することができ、次いでターゲットUEは、ポート番号に基づいて第2のPCRSポートセット内の少なくとも1つのPCRSポートを決定する。つまり、ポート指示情報は第1の指示情報であり、eNBは、第2のPCRSポートセット内の少なくとも1つのPCRSポートのポート番号を第1の指示情報に追加することができる。
【００４７】
本出願のこの実施形態では、UEは、ポート番号を使用することによって、第1のPCRSポートセットを通じてPCRSを受信し、第2のPCRSポートセットを通じてデータを受信することを決定する。前述のように、eNBは、ポート番号に対応しかつデータを受信するために使用される特定のPCRSポートをターゲットUEに通知することができ、したがって、この解決策の実現可能性および信頼性を改善するために、eNBとUEとの間のデータおよびPCRSの送受信を決定する実現可能な方法が提供される。
【００４８】
本出願の実施形態の第2の態様の第2の可能な実装形態を参照すると、第4の可能な実装形態において、UEがeNBによって送信されたポート指示情報を受信することは具体的には以下を含み得る：
eNBは、第1のPCRSポートセット内のPCRSポートの数および／または第2のPCRSポートセット内のPCRSポートの数をターゲットUEに送信することができ、次いでターゲットUEは、PCRSポートの数に基づいてデータを受信するための特定のPCRSポートを決定することができる。つまり、ポート指示情報は第2の指示情報であり、eNBは、第2の指示情報に、第1のPCRSポートセット内のPCRSポートの数および／または第2のPCRSポートセット内のPCRSポートの数に対応する識別子情報を追加することができる。
【００４９】
本出願のこの実施形態では、UEは、いくつかのPCRSポートを介して、第1のPCRSポートセットを通るPCRSを受信し、第2のPCRSポートセットを通るデータを受信することを決定する。前述の方法で、eNBは、PCRSポートの数に対応しかつデータを受信するために使用される特定のPCRSポートと、PCRSポートの数に対応しかつPCRSを受信するために使用される特定のPCRSポートとをターゲットUEに通知することができ、したがって、この解決策の実現可能性および信頼性を向上させるために、eNBとUEとの間のデータおよびPCRSの送受信を決定する実行可能な方法が提供される。
【００５０】
本出願の実施形態の第2の態様の第2の可能な実装形態を参照すると、第5の可能な実装形態において、UEがeNBによって送信されたポート指示情報を受信することは具体的には以下を含み得る：
eNBは、PCRS割り当て情報、すなわち第3の指示情報をターゲットUEに直接送信し、eNBによって第1のPCRSポートセット内のターゲットUEに割り当てられたPCRSの識別子と、PCRSが配置されている第1の時間周波数リソース要素とを第3の指示情報に追加することができ；そして、PCRS割り当て情報を受信した後、ターゲットUEは、PCRSを受信するための特定の第1の時間周波数リソース要素を決定することができる。
【００５１】
ここで、eNBは、他の属性情報を使用することによって、PCRSおよびデータを伝送するための時間周波数リソース要素をターゲットUEに間接的に通知する必要がないと見なすことができる。その代わりに、eNBは、ターゲットUEに送信されるべき特定のデータおよび特定のPCRSをターゲットUEに直接通知する。
【００５２】
本出願のこの実施形態では、UEは、PCRS割り当て情報を使用することによって、PCRSを伝送するために使用される第1の時間周波数リソース要素を直接決定し、UEは第1の時間周波数リソース要素を使用することによって、eNBによって送信されたPCRSを受信する。上記のように、UEは、マッピング関係を決定する必要なしに、PCRSを受信するための特定の時間周波数リソース要素をより迅速かつ正確に知ることができ、UEのコンピューティングリソースを節約し、データ伝送の信頼性をさらに向上させる。
【００５３】
本出願の実施形態の第2の態様を参照すると、第6の可能な実装形態では、UEが、第1の時間周波数リソース要素を使用することによって第1のスケジューリング期間に、eNBによって送信された位相雑音補償パイロット信号PCRSを受信することは、具体的には以下のステップをさらに含み得る：
【００５４】
eNBは、現在のチャネル状態に基づいて、ターゲットUEとの通信に使用されるターゲットMCSを決定し、その後、eNBは、制御シグナリングを使用してターゲットUEに使用されるべきターゲットMCSを通知する、すなわち、ターゲットUEは、eNBによって送信されたターゲットMCSを受信する。また、MCSとPCRSとの伝送パターンの対応関係は、eNB側とUE側の両方で維持される。この場合、ターゲットUEは、制御シグナリングで通知されたターゲットMCSに基づいて、PCRSがPCRSポートを介して伝送されるかどうかを決定することができる。PCRSが伝送されると決定された場合、ターゲットUEは、どのポートのどの時間周波数リソース要素がPCRSを伝送するために使用されるかをさらに決定することができる。eNBは、ターゲットMCSに基づいて、第1のPCRSポートセット内のPCRSを伝送するために使用される少なくとも1つのポートに対応する第1の時間周波数リソース要素を決定し、事前に第1の時間周波数リソース要素を構成してもよく、実際の状況に基づいて第1の時間周波数リソース要素を調整してもよい。
【００５５】
本出願のこの実施形態では、eNBは、第1のPCRSポートセット内の対応する第1の時間周波数リソース要素を決定する。具体的には、eNBは最初にMCSを決定することができ、ターゲットMCSは、データをターゲットUEに送信するためにeNBによって使用されるMCSを示すために使用される。次いで、eNBは、ターゲットMCSに基づいて、第1のPCRSポートセット内のPCRSを伝送するために使用される少なくとも1つのポートに対応する第1の時間周波数リソース要素を決定する。さらに、ターゲットUEはまた、eNBによって決定されたターゲットMCSに基づいて第1の時間周波数リソース要素を使用することによって第1のスケジューリング期間に、eNBによって送信されたPCRSを受信することができる。上記のように、eNBは、制御シグナリングにおいて追加のビットを占有する必要なしに暗黙の方法で、PCRSを伝送するために使用された対応する第1の時間周波数リソース要素をUEに通知する。eNBによってスケジュールされたMCSに基づいて、UEは、制御シグナリングのオーバヘッドを減らし、通信システムの効率を改善するために、PCRSを伝送するために使用される第1の時間周波数リソース要素を知ることができる。
【００５６】
本出願の実施形態の第2の態様の第6の実装形態を参照すると、第7の可能な実装形態では、第1の時間周波数リソース要素を使用することによって第1のスケジューリング期間に、eNBによって送信された位相雑音補償パイロット信号PCRSを受信した後、UEは、具体的には以下のステップをさらに実行することができる：
【００５７】
eNB内のスケジューラは、次の期間、すなわち第2のスケジューリング期間のスケジューリングを開始し、次いで、更新された第3の時間周波数リソース要素を取得するために第2のスケジューリング期間に第1の時間周波数リソース要素を更新する。eNBは、第3の時間周波数リソース要素上でPCRSをUEに送信し、eNBはまた、第3の時間周波数リソース要素以外の第1のPCRSポートセット内の時間周波数リソース要素上で有効データを送信する。
【００５８】
さらに、本出願のこの実施形態では、eNBが、第1のPCRSポートセット内のPCRSを伝送するために使用される少なくとも1つのポートに対応する第1の時間周波数リソース要素を決定した後、eNBは、更新された第3の時間周波数リソース要素を取得するために第2のスケジューリング期間に第1の時間周波数リソース要素をさらに更新することができ、eNBは、第3の時間周波数リソース要素上でPCRSを送信する。前述のように、eNBは、各スケジューリング期間においてPCRSを動的に構成し、PCRSを伝送するために使用される時間周波数リソース要素を決定して、この解決策の実用性および柔軟性を向上させることができる。
【００５９】
本出願の第3の態様は、基地局を提供し、基地局は：
第1のスケジューリング期間に第1のPCRSポートセットおよび第2のPCRSポートセットを決定するように構成された第1の決定モジュールであって、第1のPCRSポートセットは、PCRSを伝送するために使用される少なくとも1つのポートを含むが、第2のPCRSポートセットは、第1のスケジューリング期間にPCRSを伝送するために使用されるポートを含まない、第1の決定モジュールと、
第1の決定モジュールによって決定された第1のPCRSポートセット内のPCRSを伝送するために使用される少なくとも1つのポートに対応する第1の時間周波数リソース要素を決定するように構成された第2の決定モジュールと、
第1の時間周波数リソース要素の数が1以上である場合、第2の決定モジュールによって決定された第1の時間周波数リソース要素上でターゲットUEにPCRSを送信するように構成された第1の送信モジュールと、
第1の決定モジュールによって決定された第2のPCRSポートセットに対応する第2の時間周波数リソース要素上でターゲットUEにデータを送信するように構成された第2の送信モジュールと、
を含む。
【００６０】
本出願の実施形態の第3の態様を参照すると、第1の可能な実装形態では、基地局は：
第2の決定モジュールが、第1のPCRSポートセット内のPCRSを伝送するために使用される少なくとも1つのポートに対応する第1の時間周波数リソース要素を決定した後、第1の時間周波数リソース要素上で、ターゲットUEによって送信されたPCRSを受信するように構成された第1の受信モジュールと、
第2のPCRSポートセットに対応する第2の時間周波数リソース要素上で、ターゲットUEによって送信されたデータを受信するように構成された第2の受信モジュールと、
をさらに含み得る。
【００６１】
本出願の実施形態の第3の態様を参照すると、第2の可能な実装形態では、基地局は：
第1の決定モジュールが第1のスケジューリング期間に第1のPCRSポートセットおよび第2のPCRSポートセットを決定した後、第1のスケジューリング期間に対応するポート指示情報を生成するように構成された生成モジュールと、
生成モジュールによって生成されたポート指示情報をターゲットUEに送信するように構成された第3の送信モジュールであって、ポート指示情報は、第1のPCRSポートセットを通じてPCRSを受信し、第2のPCRSポートセットを通じてデータを受信するためにターゲットUEによって使用される、第3の送信モジュールと、
をさらに含み得る。
【００６２】
本出願の実施形態の第3の態様の第2の可能な実装形態を参照すると、第3の可能な実装形態では、ポート指示情報は第1の指示情報であり、
第3の送信モジュールは：
第1の指示情報をターゲットUEに送信するように構成された第1の送信ユニットであって、第1の指示情報は、第2のPCRSポートセット内の少なくとも1つのPCRSポートのポート番号を示すために使用される、第1の送信ユニット
を含み得る。
【００６３】
本出願の実施形態の第3の態様の第2の可能な実装形態を参照すると、第4の可能な実装形態では、ポート指示情報は第2の指示情報であり、
第3の送信モジュールは：
第2の指示情報をターゲットUEに送信するように構成された第2の送信ユニットであって、第2の指示情報は、第1のPCRSポートセット内のPCRSポートの数および／または第2のPCRSポートセット内のPCRSポートの数を示すために使用される、第2の送信ユニット
を含み得る。
【００６４】
本出願の実施形態の第3の態様の第2の可能な実装形態を参照すると、第5の可能な実装形態では、ポート指示情報は第3の指示情報であり、
第3の送信モジュールは：
第3の指示情報をターゲットユーザ機器に送信するように構成された第3の送信ユニットであって、第3の指示情報は、第1のPCRSポートセット内のターゲットユーザ機器に割り当てられた第1の時間周波数リソース要素を示すために使用される、第3の送信ユニット
を含み得る。
【００６５】
本出願の実施形態の第3の態様を参照すると、第6の可能な実装形態では、第2の決定モジュールは：
ターゲットMCSを決定するように構成された第1の決定ユニットであって、ターゲットMCSは、データをターゲットUEに送信するためにeNBによって使用されるMCSを示すために使用される、第1の決定ユニットと、
第1の決定ユニットによって決定されたターゲットMCSに基づいて、第1のPCRSポートセット内のPCRSを伝送するために使用される少なくとも1つのポートに対応する第1の時間周波数リソース要素を決定するように構成された第2の決定ユニットと、
を含み得る。
【００６６】
本出願の実施形態の第3の態様を参照すると、第7の可能な実装形態では、第2の決定モジュールは：
第1のスケジューリング期間にデータをターゲットUEに送信するためのスケジューリング帯域幅を決定するように構成された第3の決定ユニットと、
第3の決定ユニットによって決定されたスケジューリング帯域幅に基づいて、第1のPCRSポートセット内のPCRSを伝送するために使用される少なくとも1つのポートに対応する第1の時間周波数リソース要素を決定するように構成された第4の決定ユニットと、
を含み得る。
【００６７】
本出願の実施形態の第3の態様の第6または第7の可能な実装形態を参照すると、第8の可能な実装形態では、基地局は：
第2の決定モジュールが、第1のPCRSポートセット内のPCRSを伝送するために使用される少なくとも1つのポートに対応する第1の時間周波数リソース要素を決定した後、更新された第3の時間周波数リソース要素を取得するために第2のスケジューリング期間に第1の時間周波数リソース要素を更新するように構成された更新モジュールと、
更新モジュールによって更新された第3の時間周波数リソース要素上でPCRSを送信するように構成された第4の送信モジュールと、
をさらに含み得る。
【００６８】
本出願の第4の態様は、ユーザ機器を提供し、ユーザ機器は：
第1の時間周波数リソース要素の数が1以上である場合、第1の時間周波数リソース要素を使用することによって第1のスケジューリング期間に、eNBによって送信されたPCRSを受信するように構成された第1の受信モジュールであって、第1の時間周波数リソース要素は、第1のPCRSポートセット内のPCRSを伝送するために使用される少なくとも1つのポートからeNBによって決定される、第1の受信モジュールと、
第2の時間周波数リソース要素を使用することによって第1のスケジューリング期間に基地局によって送信されたデータを受信するように構成された第2の受信モジュールであって、第2の時間周波数リソース要素は第2のPCRSポートセット内のPCRSを伝送するために使用されない時間周波数リソース要素であり、第2のPCRSポートセットは、第1のスケジューリング期間にPCRSを伝送するために使用されるポートを含まない、第2の受信モジュールと、
を含む。
【００６９】
本出願の実施形態の第4の態様を参照すると、第1の可能な実装形態では、ユーザ機器は：
第1の時間周波数リソース要素を使用することによってPCRSを基地局に送信するように構成された第1の送信モジュールと、
第2の時間周波数リソース要素を使用することによって基地局にデータを送信するように構成された第2の送信モジュールと、
をさらに含み得る。
【００７０】
本出願の実施形態の第4の態様を参照すると、第2の可能な実装形態では、ユーザ機器は：
第1の受信モジュールが、第1の時間周波数リソース要素を使用することによって第1のスケジューリング期間に、eNBによって送信されたPCRSを受信する前に、eNBによって送信されたポート指示情報を受信するように構成された第3の受信モジュールであって、ポート指示情報は、第1のPCRSポートセットを通じてPCRSを受信し、第2のPCRSポートセットを通じてデータを受信するためにターゲットUEによって使用される、第3の受信モジュール
をさらに含み得る。
【００７１】
本出願の実施形態の第4の態様の第2の可能な実装形態を参照すると、第3の可能な実装形態では、ポート指示情報は第1の指示情報であり、
第3の受信モジュールは：
eNBによって送信された第1の指示情報を受信するように構成された第1の受信ユニットであって、第1の指示情報は、第2のPCRSポートセット内の少なくとも1つのPCRSポートのポート番号を示すために使用される、第1の受信ユニット
を含み得る。
【００７２】
本出願の実施形態の第4の態様の第2の可能な実装形態を参照すると、第4の可能な実装形態では、ポート指示情報は第2の指示情報であり、
第3の受信モジュールは：
eNBによって送信された第2の指示情報を受信するように構成された第2の受信ユニットであって、第2の指示情報は、第1のPCRSポートセット内のPCRSポートの数および／または第2のPCRSポートセット内のPCRSポートの数を示すために使用される、第2の受信ユニット
を含み得る。
【００７３】
本出願の実施形態の第4の態様の第2の可能な実装形態を参照すると、第5の可能な実装形態において、
ポート指示情報は第3の指示情報であり、
第3の受信モジュールは：
eNBによって送信された第3の指示情報を受信するように構成された第3の受信ユニットであって、第3の指示情報は、第1のPCRSポートセット内のターゲットUEにeNBによって割り当てられた第1の時間周波数リソース要素を示すために使用される、第3の受信ユニット
を含み得る。
【００７４】
本出願の実施形態の第4の態様を参照すると、第6の可能な実装形態では、第1の受信モジュールは：
eNBによって決定されたターゲットMCSを受信するように構成された第4の受信ユニットであって、ターゲットMCSは、データをターゲットUEに送信するためにeNBによって使用されるMCSを示すために使用される、第4の受信ユニットと、
第4の受信ユニットによって受信されたターゲットMCSに基づく第1の時間周波数リソース要素を使用することによって第1のスケジューリング期間に、eNBによって送信されたPCRSを受信するように構成された第5の受信ユニットと、
を含み得る。
【００７５】
本出願の実施形態の第4の態様の第6の実装形態を参照すると、第7の可能な実装形態では、ユーザ機器は：
第1の受信モジュールが、第1の時間周波数リソース要素を使用することによって第1のスケジューリング期間に、eNBによって送信されたPCRSを受信した後に、第3の時間周波数リソース要素上でPCRSを受信するように構成された第4の受信モジュールであって、第3の時間周波数リソース要素は、第2のスケジューリング期間にeNBが第1の時間周波数リソース要素を更新した後に得られる、第4の受信モジュール
をさらに含み得る。
【００７６】
本出願の第5の態様は、メモリ、トランシーバ、プロセッサ、およびバスシステムを含む基地局を提供し、
メモリはプログラムを格納するように構成され、
プロセッサは、メモリ内のプログラムを実行して、具体的には、
第1のスケジューリング期間に第1の位相雑音補償パイロット信号PCRSポートセットおよび第2のPCRSポートセットを決定するステップであって、第1のPCRSポートセットはPCRSを伝送するために使用される少なくとも1つのポートを含むが、第2のPCRSポートセットは第1のスケジューリング期間にPCRSを伝送するために使用されるポートを含まない、ステップと、
第1のPCRSポートセット内のPCRSを伝送するために使用される少なくとも1つのポートに対応する第1の時間周波数リソース要素を決定するステップと、
第1の時間周波数リソース要素の数が1以上である場合、第1の時間周波数リソース要素上でPCRSをターゲットUEに送信するようにトランシーバを制御するステップと、
第2のPCRSポートセットに対応する第2の時間周波数リソース要素上でターゲットUEにデータを送信するようにトランシーバを制御するステップと、
を実行するように構成される。
【００７７】
任意選択で、プロセッサは以下のステップ：
ターゲットUEによって送信されたPCRSを第1の時間周波数リソース要素上で受信するようにトランシーバを制御するステップと、
第2のPCRSポートセットに対応する第2の時間周波数リソース要素上で、ターゲットUEによって送信されたデータを受信するようにトランシーバを制御するステップと、
を実行するようにさらに構成される。
【００７８】
任意選択で、プロセッサは以下のステップ：
第1のスケジューリング期間に対応するポート指示情報を生成するステップと、
ポート指示情報をターゲットUEに送信するようにトランシーバを制御するステップであって、ポート指示情報は、第1のPCRSポートセットを通じてPCRSを受信し、第2のPCRSポートセットを通じてデータを受信するためにターゲットUEによって使用される、ステップと、
を実行するようにさらに構成される。
【００７９】
任意選択で、プロセッサは具体的には以下のステップ：
ターゲットUEに第1の指示情報を送信するようにトランシーバを制御するステップであって、第1の指示情報は、第2のPCRSポートセット内の少なくとも1つのPCRSポートのポート番号を示すために使用される、ステップ
を実行するように構成される。
【００８０】
任意選択で、プロセッサは具体的には以下のステップ：
第2の指示情報をターゲットUEに送信するようにトランシーバを制御するステップであって、第2の指示情報は、第1のPCRSポートセット内のPCRSポートの数および／または第2のPCRSポートセット内のPCRSポートの数を示すために使用される、ステップ
を実行するように構成される。
【００８１】
任意選択で、プロセッサは具体的には以下のステップ：
第3の指示情報をターゲットUEに送信するようにトランシーバを制御するステップであって、第3の指示情報は、第1のPCRSポートセット内のターゲットUEに割り当てられた第1の時間周波数リソース要素を示すために使用される、ステップ
を実行するように構成される。
【００８２】
任意選択で、プロセッサは具体的には以下のステップ：
ターゲットMCSを決定するステップであって、ターゲットMCSは、データをターゲットユーザ機器に送信するために基地局によって使用されるMCSを示すために使用される、ステップと、
ターゲットMCSに基づいて、第1のPCRSポートセット内のPCRSを伝送するために使用される少なくとも1つのポートに対応する第1の時間周波数リソース要素を決定するステップと、
を実行するように構成される。
【００８３】
任意選択で、プロセッサは具体的には以下のステップ：
第1のスケジューリング期間にデータをターゲットUEに送信するためのスケジューリング帯域幅を決定するステップと、
スケジューリング帯域幅に基づいて、第1のPCRSポートセット内のPCRSを伝送するために使用される少なくとも1つのポートに対応する第1の時間周波数リソース要素を決定するステップと、
を実行するように構成される。
【００８４】
任意選択で、プロセッサは具体的には以下のステップ：
更新された第3の時間周波数リソース要素を取得するために第2のスケジューリング期間に第1の時間周波数リソース要素を更新するステップと、
第3の時間周波数リソース要素上でPCRSを送信するようにトランシーバを制御するステップと、
を実行するように構成される。
【００８５】
本出願の第6の態様は、メモリ、トランシーバ、プロセッサ、およびバスシステムを含む基地局を提供し、
メモリはプログラムを格納するように構成され、
プロセッサは、メモリ内のプログラムを実行して、具体的には、
第1の時間周波数リソース要素の数が1以上である場合、第1の時間周波数リソース要素を使用することによって第1のスケジューリング期間に、eNBによって送信されたPCRSを受信するようにトランシーバを制御するステップであって、第1の時間周波数リソース要素は、第1のPCRSポートセット内のPCRSを伝送するために使用される少なくとも1つのポートからeNBによって決定される、ステップと、
第2の時間周波数リソース要素を使用することによって第1のスケジューリング期間に、eNBによって送信されたデータを受信するようにトランシーバを制御するステップであって、第2の時間周波数リソース要素は第2のPCRSポートセット内のPCRSを伝送するために使用されない時間周波数リソース要素であり、第2のPCRSポートセットは、第1のスケジューリング期間にPCRSを伝送するために使用されるポートを含まない、ステップと、
を実行するように構成される。
【００８６】
任意選択で、プロセッサは具体的には以下のステップ：
第1の時間周波数リソース要素を使用することによって、PCRSをeNBに送信するようにトランシーバを制御するステップと、
第2の時間周波数リソース要素を使用することによって、eNBにデータを送信するようにトランシーバを制御するステップと、
を実行するように構成される。
【００８７】
任意選択で、プロセッサは具体的には以下のステップ：
eNBによって送信されたポート指示情報を受信するようにトランシーバを制御するステップであって、ポート指示情報は、第1のPCRSポートセットを通じてPCRSを受信し、第2のPCRSポートセットを通じてデータを受信するためにターゲットUEによって使用される、ステップ
を実行するように構成される。
【００８８】
任意選択で、プロセッサは具体的には以下のステップ：
eNBによって送信された第1の指示情報を受信するようにトランシーバを制御するステップであって、第1の指示情報は、第2のPCRSポートセット内の少なくとも1つのPCRSポートのポート番号を示すために使用される、ステップ
を実行するように構成される。
【００８９】
任意選択で、プロセッサは具体的には以下のステップ：
eNBによって送信された第2の指示情報を受信するようにトランシーバを制御するステップであって、第2の指示情報は、第1のPCRSポートセット内のPCRSポートの数および／または第2のPCRSポートセット内のPCRSポートの数を示すために使用される、ステップ
を実行するように構成される。
【００９０】
任意選択で、プロセッサは具体的には以下のステップ：
eNBによって送信された第3の指示情報を受信するようにトランシーバを制御するステップであって、第3の指示情報は、eNBによって第1のPCRSポートセット内のターゲットUEに割り当てられた第1の時間周波数リソース要素を示すために使用される、ステップ
を実行するように構成される。
【００９１】
任意選択で、プロセッサは具体的には以下のステップ：
eNBによって決定されたターゲットMCSを受信するようにトランシーバを制御するステップであって、ターゲットMCSは、データをターゲットUEに送信するためにeNBによって使用されるMCSを示すために使用される、ステップと、
ターゲットMCSに基づいて、第1の時間周波数リソース要素を使用することによって第1のスケジューリング期間に、eNBによって送信されたPCRSを受信するようにトランシーバを制御するステップと、
を実行するように構成される。
【００９２】
任意選択で、プロセッサは以下のステップ：
第3の時間周波数リソース要素上でPCRSを受信するようにトランシーバを制御するステップであって、第3の時間周波数リソース要素は、eNBが第2のスケジューリング期間に第1の時間周波数リソース要素を更新した後に得られる、ステップ
を実行するようにさらに構成される。
【００９３】
本出願の第7の態様は、基地局とユーザ機器とを含むデータ伝送システムを提供する。
【００９４】
基地局は、第3の態様および第3の態様の第1から第8の実装形態のうちのいずれか1つの基地局である。
【００９５】
ユーザ機器は、第4の態様および第4の態様の第1から第7の実装形態のうちのいずれか1つのユーザ機器である。
【００９６】
本出願の第8の態様は、位相雑音推定方法を提供し、この方法は：
eNBによって、ターゲットPCRSポートセットを決定するステップであって、ターゲットPCRSポートセットは、PCRSを伝送するために使用される少なくとも1つのポートを含む、ステップと、
eNBによって、ターゲットPCRSポートセットからターゲット時間周波数リソース要素を決定するステップであって、ターゲット時間周波数リソース要素は、PCRSを伝送するために使用される、ステップと、
eNBによって、ターゲット時間周波数リソース要素に基づいて、第1の時空間周波数リソース要素と第2の時空間周波数リソース要素とを決定するステップであって、第1の時空間周波数リソース要素も第2の時空間周波数リソース要素も信号を送信するために使用されない、ステップと、
eNBによって、第1の時空間周波数リソース要素およびターゲット時間周波数リソース要素に基づいて第1の位相雑音推定値を決定し、第2の時空間周波数リソース要素およびターゲット時間周波数リソース要素に基づいて第2の位相雑音推定値を決定するステップと、
eNBによって、第1の位相雑音推定値および第2の位相雑音推定値に基づいて雑音推定結果を決定するステップと、
を含む。
【００９７】
本出願のこの実施形態では、ターゲット時間周波数リソース要素に隣接する時間周波数リソース要素に信号は送信されず、ICIを補償するために、ICIの位相雑音を正確に推定することができるように、ターゲット時間周波数リソース要素に隣接する1つの時空間周波数リソース要素のICIのみがターゲット時間周波数リソース要素に基づいて受信される。これにより、データ伝送精度が向上し、端末によるデータの復調の難しさを軽減する。
【００９８】
任意選択で、第1の時空間周波数リソース要素および第2の時空間周波数リソース要素は両方とも、ターゲット時間周波数リソース要素に隣接する時間周波数リソース要素であり、第1の時空間周波数リソース要素、第2の時空間周波数リソース要素、およびターゲット時間周波数リソース要素は、異なるPCRSポートに別々に配置される。
【００９９】
上述の技術的解決策から、本出願の実施形態は以下の利点を有することが分かる。
【０１００】
本出願の実施形態は、データ伝送方法を提供する。eNBは、最初に第1のスケジューリング期間において第1のPCRSポートセットおよび第2のPCRSポートセットを決定し、第1のPCRSポートセットはPCRSを伝送するために使用される少なくとも1つのポートを含むが、第2のPCRSポートセットは第1のスケジューリング期間にPCRSを伝送するために使用されるポートを含まず、次いで、eNBは、第1のPCRSポートセット内のPCRSを伝送するために使用される少なくとも1つのポートに対応する第1の時間周波数リソース要素を決定し、eNBは、第1の時間周波数リソース要素上でPCRSをターゲットUEに送信し、第2のPCRSポートセットに対応する第2の時間周波数リソース要素上でターゲットUEにデータを送信する。上記のように、スケジューリング期間において、eNBは、PCRSを伝送するために使用される第1の時間周波数リソース要素を決定し、PCRSを伝送するために使用されない残りのすべての時間周波数リソース要素上で有効データが伝送され得、PCRSポートデータ伝送効率を改善し、効果的にPCRSポートリソースを節約する。
【図面の簡単な説明】
【０１０１】
【図１Ａ】従来技術における位相雑音補償基準信号の概略図である。
【図１Ｂ】従来技術における位相雑音補償基準信号の概略図である。
【図２】本出願の一実施形態によるデータ伝送システムのアーキテクチャの概略図である。
【図３】本出願の一実施形態によるデータ伝送方法の一実施形態の概略図である。
【図４Ａ】本出願の一実施形態による拡張位相雑音補償基準信号の概略図である。
【図４Ｂ】本出願の一実施形態による拡張位相雑音補償基準信号の概略図である。
【図５】本出願の一実施形態による拡張復調基準信号の概略図である。
【図６】本出願の一実施形態による基地局の一実施形態の概略図である。
【図７】本出願の一実施形態による基地局の別の実施形態の概略図である。
【図８】本出願の一実施形態による基地局の別の実施形態の概略図である。
【図９】本出願の一実施形態による基地局の別の実施形態の概略図である。
【図１０】本出願の一実施形態による基地局の別の実施形態の概略図である。
【図１１】本出願の一実施形態による基地局の別の実施形態の概略図である。
【図１２】本出願の一実施形態による基地局の別の実施形態の概略図である。
【図１３】本出願の一実施形態による基地局の別の実施形態の概略図である。
【図１４】本出願の一実施形態による基地局の別の実施形態の概略図である。
【図１５】本出願の一実施形態によるユーザ機器の一実施形態の概略図である。
【図１６】本出願の一実施形態によるユーザ機器の別の実施形態の概略図である。
【図１７】本出願の一実施形態によるユーザ機器の別の実施形態の概略図である。
【図１８】本出願の一実施形態によるユーザ機器の別の実施形態の概略図である。
【図１９】本出願の一実施形態によるユーザ機器の別の実施形態の概略図である。
【図２０】本出願の一実施形態によるユーザ機器の別の実施形態の概略図である。
【図２１】本出願の一実施形態によるユーザ機器の別の実施形態の概略図である。
【図２２】本出願の一実施形態によるユーザ機器の別の実施形態の概略図である。
【図２３】本出願の一実施形態による基地局の概略構造図である。
【図２４】本出願の一実施形態によるユーザ機器の概略構造図である。
【図２５】本出願の一実施形態によるデータ伝送システムの一実施形態の概略図である。
【発明を実施するための形態】
【０１０２】
本出願の実施形態は、データ伝送方法、関連装置、およびシステムを提供する。スケジューリング期間において、PCRSを伝送するために使用される第1の時間周波数リソース要素が決定され得、PCRSを伝送するために使用されない残りのすべての時間周波数リソース要素上で有効データが伝送され得、PCRSポートデータ伝送効率を改善し、効果的にPCRSポートリソースを節約する。
【０１０３】
本出願の明細書、特許請求の範囲、および添付図面において、「第1」、「第2」、「第3」、「第4」等（もしあれば）の用語は類似のオブジェクトを区別することを意図しているが、必ずしも特定の順序または配列を示すものではない。そのように言及されたデータは、本明細書に記載された本出願の実施形態が、例えば、本明細書に図示または記載された順序とは異なる順序で実施され得るように、適切な状況において交換可能であることを理解されたい。さらに、用語「含む（include，contain）」および任意の他の変形は、非排他的な包含をカバーすることを意味し、例えば、ステップまたはユニットの列挙を含むプロセス、方法、システム、製品、またはデバイスが、それらの明確に列挙されたステップまたはユニットに必ずしも限定されないが、そのようなプロセス、方法、システム、製品、またはデバイスに明確に列挙されていないまたは固有でない他のステップまたはユニットを含むことができる。
【０１０４】
本出願の実施形態の技術的解決策は、グローバル・システム・フォー・モバイル・コミュニケーションズ（Global System of Mobile communication、略してGSM（登録商標））、符号分割多元接続（Code Division Multiple Access、略してCDMA）システム、広帯域符号分割多元接続（Wideband Code Division Multiple Access、略してWCDMA（登録商標））システム、汎用パケット無線サービス（General Packet Radio Service、略してGPRS）、ロングタームエボリューション（Long Term Evolution、略してLTE）システム、LTE周波数分割複信（Frequency Division Duplex、略してFDD）システム、LTE時分割複信（Time Division Duplex、略してTDD）、ユニバーサル移動体通信システム（Universal Mobile Telecommunication System、略してUMTS）、ワールドワイド・インターオペラビリティ・フォー・マイクロウェーブ・アクセス（Worldwide Interoperability for Microwave Access、略してWiMAX）通信システムなどの様々な通信システムに適用され得ることを理解されたい。
【０１０５】
本出願は、具体的には図2に示すデータ伝送システムに適用することができ、システムに含まれるすべてのネットワーク要素の特定の内部構造が具体化されていることを理解されたい。なお、本実施形態における各ネットワーク要素の内部構成は単なる一例であり、伝送システムを限定するものではない。
【０１０６】
UEはリンクを介してeNBと無線通信を行う。UEは、1つまたは複数のプロセッサ、1つまたは複数のメモリ、および1つまたは複数のトランシーバ（各トランシーバは送信機および受信機を含む）を含み、プロセッサ、メモリ、およびトランシーバはバスを使用することによって接続される。1つまたは複数のトランシーバは1つまたは複数のアンテナに接続される。1つまたは複数のメモリはコンピュータプログラムコードを含む。
【０１０７】
eNBは、ネットワークへのUEの無線アクセスを提供する。eNBは、1つまたは複数のプロセッサ、1つまたは複数のメモリ、1つまたは複数のネットワークインタフェース、および1つまたは複数のトランシーバ（各トランシーバは受信機および送信機を含む）を含み、プロセッサ、メモリ、ネットワークインタフェース、およびトランシーバはバスを使用して接続される。1つまたは複数のトランシーバはアンテナまたはアンテナアレイに接続される。1つまたは複数のプロセッサはコンピュータプログラムコードを含む。ネットワークインタフェースは、リンク（例えば、ネットワークインタフェースとコアネットワークとの間のリンク）を使用してコアネットワークに接続されるか、または有線もしくは無線リンクを使用して別のeNBに接続される。
【０１０８】
ネットワークは、ネットワーク制御ユニット、モビリティ管理エンティティ（Mobility Management Entity、略してMME）、またはサービングゲートウェイ（Serving Gateway、略してSGW）などのコアネットワークデバイスをさらに含むことができ、また、電話ネットワークおよび／またはデータ通信ネットワーク（例えばインターネット）などのネットワーク接続をさらに提供することができる。eNBは、リンク（例えば、S1インタフェース）を使用してコアネットワークデバイスに接続され得る。コアネットワークデバイスは、1つまたは複数のプロセッサ、1つまたは複数のメモリ、および1つまたは複数のネットワークインタフェースを含み、プロセッサ、メモリ、およびネットワークインタフェースは、バスを使用して接続される。1つまたは複数のメモリはコンピュータプログラムコードを含む。
【０１０９】
UE、eNB、およびコアネットワークデバイスに含まれるメモリは、任意のローカルテクノロジ環境に適している可能性があり、任意の適切なデータ記憶テクノロジを使用することによって実装され得る。
【０１１０】
UE、eNB、コアネットワークデバイス内の様々な無線周波数成分が雑音の影響を受けると、出力信号の位相がランダムに変化し、その結果、信号の復調が困難になる。通信システムにおける無線システムの利用を改善し、無線チャネルフェージングに対抗するために、複数の変調および符号化方式（Modulation and Coding Scheme、略してMCS）を設定することができ、それにより複数の変調および符号化方式を異なる信号対干渉雑音比（Signal to Interference plus Noise Ratio、略してSINR）に適応させることができる。ただし、異なるMCSの位相雑音は影響が異なる。直交位相シフトキーイング（Quadrature Phase Shift Keyin、QPSK）のMCSのようなより低いMCSの場合、位相雑音はほとんど影響を及ぼさず、したがって位相雑音の補償は必要とされない。16直交振幅変調（Quadrature Amplitude Modulation、略してQAM）のMCSなどの中間MCSの場合、位相雑音の影響は主にCPEであるため、CPEのみが補償される。64QAMのMCSおよび256QAMのMCSのようなより高いMCSの場合、復調性能を保証するためにCPEおよびICIの一部の両方が補償される必要があり、したがってPCRSが常に送信され得るとは限らない。
【０１１１】
しかしながら、スケジューリング期間において、eNBがPCRSをUEに送信するプロセスにおいて、PCRSを送信するために使用される必要がないかもしれないポートはアイドル状態であるか、またはPCRSを送信するために使用され、その結果、有効データの送信効率が低下する。以下は、有効データを送信する効率を高める方法を具体的に説明するために本出願の解決策を提供する。
【０１１２】
図3を参照すると、本出願の一実施形態におけるデータ伝送方法の一実施形態は以下のステップを含む。
【０１１３】
101．eNBは、第1のスケジューリング期間において第1のPCRSポートセットおよび第2のPCRSポートセットを決定し、第1のPCRSポートセットはPCRSを伝送するために使用される少なくとも1つのポートを含むが、第2のPCRSポートセットは第1のスケジューリング期間にPCRSを伝送するために使用されるポートを含まない。
【０１１４】
この実施形態では、eNBは第1のスケジューリング期間において第1のPCRSポートセットおよび第2のPCRSポートセットを最初に決定し、第1のスケジューリング期間はeNB内のスケジューラによって決定される。スケジューラは、異なる時点での異なるUEに対する様々なシステムリソースのスケジューリングを主に担い、eNBの作業効率および実際の性能は、スケジューラの設計に直接依存する。スケジューラの動作中に、UEの位置におけるチャネル品質、UEバッファ状態、eNBシステムリソース状態、サービス優先度、およびユーザ優先度などの複数の要因を考慮する必要があり、適切なスケジューリングアルゴリズムは、システムリソース使用率を最大化するために使用され、できるだけ最適なユーザ体験を確保する。
【０１１５】
第2のPCRSポートセットはヌルセットを含み得ることを理解されたい。
【０１１６】
さらに、本出願におけるPCRSは、位相追跡基準信号（phase tracking reference signal、PTRS）または別の基準信号と呼ばれることもある。本明細書では、PCRSを説明のための例として使用するが、これはこの解決策に対する限定として解釈されるべきではない。
【０１１７】
通信システムでは、現在、ラウンドロビンアルゴリズム、最大搬送波対干渉波比アルゴリズム、および比例公平性アルゴリズムの3つの主要なスケジューリングアルゴリズムが使用されている。第1のスケジューリング期間を決定するための特定のスケジューリングアルゴリズムは、この解決策において限定されないことに留意されたい。
【０１１８】
さらに、第1のPCRSポートセットは、PCRSを伝送するために使用される少なくとも1つのポートを含み、PCRSは位相雑音推定および補償を実行するために使用される。しかしながら、第2のPCRSポートセットは、第1のスケジューリング期間にPCRSを伝送するために使用されるポートを含まない。つまり、第2のPCRSポートセット内のPCRSポートはPCRSの伝送には使用されない。
【０１１９】
102．eNBは、第1のPCRSポートセット内のPCRSを伝送するために使用される少なくとも1つのポートに対応する第1の時間周波数リソース要素を決定する。
【０１２０】
この実施形態では、eNBはさらに、第1のPCRSポートセット内のPCRSを伝送するために使用される第1の時間周波数リソース要素を決定する必要があり、第1の時間周波数リソース要素は少なくとも1つの時間周波数リソース要素を含む。
【０１２１】
時間領域では、最も細かいリソース粒度は1つのOFDMシンボルであり、周波数領域では最も細かい粒度は1つのサブキャリアである。1つのOFDMシンボルと1つのサブキャリアを含む時間周波数リソース要素は、リソース要素（Resource Element、略してRE）とも呼ばれる。REは、物理層におけるリソースマッピングにおける基本単位である。1つのタイムスロット内のすべてのOFDMシンボルと周波数領域内の12個のサブキャリアは1つのリソースブロック（Resource Block、略してRB）を形成し、RBはロングタームエボリューション（Long Term Evolution、略してLTE）リソーススケジューリングの基本単位である。
【０１２２】
103．第1の時間周波数リソース要素の数が1以上である場合、eNBは第1の時間周波数リソース要素上でPCRSをターゲットUEに送信し、ターゲットUEは、第1の時間周波数リソース要素を使用することによって第1のスケジューリング期間に、eNBによって送信されたPCRSを受信する。
【０１２３】
この実施形態では、eNBによって決定された第1の時間周波数リソース要素の数が1以上である場合、eNBは、第1の時間周波数リソース要素上で信号補償に使用されるPCRSをターゲットUEに送信する。PCRS伝送は、時間周波数リソース要素を最小単位として行われる。有効データは、第1のPCRSポートセット内の残りのすべての時間周波数リソース要素上で伝送され得る。
【０１２４】
eNBによって決定された第1の時間周波数リソース要素の数が0である場合、それは、第1のスケジューリング期間にeNBがターゲットUEにPCRSを送信しないことを示し、したがって、第1のPCRSポートセットおよび第2のPCRSポートセット内の各時間周波数リソース要素上でデータを送信することができる。
【０１２５】
104．eNBは、第2のPCRSポートセットに対応する第2の時間周波数リソース要素上でターゲットUEにデータを送信するので、ターゲットUEは、第2の時間周波数リソース要素を使用することによって第1のスケジューリング期間に、eNBによって送信されたデータを受信する。
【０１２６】
この実施形態では、eNBは、第2のPCRSポートセットに対応する第2の時間周波数リソース要素上でデータをターゲットUEに送信し、ターゲットUEは第1のスケジューリング期間にデータを受信することができる。実際の用途では、基地局は、第2のPCRSポートセットに対応する第2の時間周波数リソース要素上でデータを送信することができ、また、第2のPCRSポートセットに対応するRBでデータをさらに送信することができる。
【０１２７】
なお、ステップ103とステップ104の実行順序は、本明細書では限定されず、ステップ104の前にステップ103を実行してもよいし、ステップ104の後にステップ103を実行してもよい。
【０１２８】
本出願のこの実施形態は、データ伝送方法を提供する。eNBは、最初に第1のスケジューリング期間において第1のPCRSポートセットおよび第2のPCRSポートセットを決定し、第1のPCRSポートセットはPCRSを伝送するために使用される少なくとも1つのポートを含むが、第2のPCRSポートセットは第1のスケジューリング期間にPCRSを伝送するために使用されるポートを含まず、次いで、eNBは、第1のPCRSポートセット内のPCRSを伝送するために使用される少なくとも1つのポートに対応する第1の時間周波数リソース要素を決定し、eNBは、第1の時間周波数リソース要素上でPCRSをターゲットUEに送信し、第2のPCRSポートセットに対応する第2の時間周波数リソース要素上でターゲットUEにデータを送信する。上記のように、スケジューリング期間において、eNBは、PCRSを伝送するために使用される第1の時間周波数リソース要素を決定し、PCRSを伝送するために使用されない残りのすべての時間周波数リソース要素上で有効データが伝送され得、PCRSポートデータ伝送効率を改善し、効果的にPCRSポートリソースを節約する。
【０１２９】
任意選択で、図3に対応する実施形態に基づいて、本出願の実施形態で提供されるデータ伝送方法の第1の任意選択の実施形態では、eNBが第1のPCRSポートセット内のPCRSを伝送するために使用される少なくとも1つのポートに対応する第1の時間周波数リソース要素を決定した後、方法は以下をさらに含み得る：
eNBは、第1の時間周波数リソース要素上で、ターゲットUEによって送信されたPCRSを受信し；
eNBは、第2のPCRSポートセットに対応する第2の時間周波数リソース要素上で、ターゲットUEによって送信されたデータを受信する。
【０１３０】
この実施形態では、アップリンクデータの送受信に加えて、ダウンリンクデータの送受信がeNBとUEとの間で行われてもよい。つまり、ターゲットUEは、第1の時間周波数リソース要素上でPCRSをeNBに送信し、第2の時間周波数リソース要素上でeNBにデータを送信することができる。
【０１３１】
本出願のこの実施形態では、eNBは、第1の時間周波数リソース要素を使用することによって、ターゲットUEによって送信されたPCRSを受信することができ、第1の時間周波数リソース要素を使用することによってPCRSをターゲットUEにさらに送信することができる。同様に、eNBは、第2の時間周波数リソース要素を使用することによって、ターゲットUEによって送信されたデータを受信し、第1の時間周波数リソース要素を使用することによってデータをターゲットUEにさらに送信することができる。上記のようにして、アップリンクデータ伝送およびダウンリンクデータ伝送の完全性が保証され、それによってこの解決策の実用性が向上する。
【０１３２】
任意選択で、図3に対応する実施形態に基づいて、本出願の実施形態で提供されるデータ伝送方法の第2の任意選択の実施形態では、eNBが第1のスケジューリング期間に第1のPCRSポートセットおよび第2のPCRSポートセットを決定し、方法は以下をさらに含み得る：
eNBは、第1のスケジューリング期間に対応するポート指示情報を生成し；
eNBはポート指示情報をターゲットUEに送信し；
ターゲットUEは、eNBによって送信されたポート指示情報に従って、第1のPCRSポートセットを通じてPCRSを受信し、第2のPCRSポートセットを通じてデータを受信することを決定する。
【０１３３】
この実施形態では、第1のスケジューリング期間に第1のPCRSポートセットおよび第2のPCRSポートセットを決定した後、eNBは、第1のスケジューリング期間に対応するポート指示情報をさらに生成することができ、eNBは、ダウンリンク制御情報（Downlink Control Information、略してDCI）を使用することによってターゲットUEにポート指示情報を送信することができる。DCIは物理ダウンリンク制御チャネル（Physical Downlink Control Channel、略してPDCCH）上で搬送される。ポート指示情報に加えて、eNBによってターゲットUEに送信されるDCIは、アップリンク／ダウンリンクリソース割り当て、ハイブリッド自動再送要求（Hybrid Automatic Repeat Request、略してHARQ）情報、電力制御などを含み得る。
【０１３４】
ポート指示情報を受信した後、ターゲットUEは、その情報によって示される内容に基づいて、PCRSが第1のPCRSポートセットを通じて受信される必要があり、データが第2のPCRSポートセットを通じて受信される必要があると決定することができる。
【０１３５】
本出願のこの実施形態では、eNBが第1のスケジューリング期間に第1のPCRSポートセットおよび第2のPCRSポートセットを決定した後、eNBは第1のスケジューリング期間に対応するポート指示情報を生成し、次いでポート指示情報をターゲットUEに送信し、その結果、ターゲットUEは、ポート指示情報に従って、第1のPCRSポートセットを通じてPCRSを受信し、第2のPCRSポートセットを通じてデータを受信することを決定する。前述の方法で、この解決策の実現可能性を保証するために、eNBはポート指示情報を使用して、データを受信するための特定のPCRSポートをUEに通知することができる。さらに、eNBとUEとの間のデータおよびPCRSの送受信の状態は、この解決策の精度および信頼性を改善するために、ポート指示情報を使用することによって決定され得る。
【０１３６】
理解を容易にするために、以下では、3つの特定のアプリケーションシナリオを使用することによって本出願におけるデータ伝送方法を詳細に説明し、詳細は以下の通りである：
【０１３７】
1．ポート番号を使用してデータとPCRSの送受信を示す
【０１３８】
任意選択で、図3に対応する第2の実施形態に基づいて、本出願の実施形態で提供されるデータ伝送方法の第3の任意選択の実施形態では、ポート指示情報は第1の指示情報である。
【０１３９】
eNBがポート指示情報をターゲットUEに送信することは：
eNBが、第1の指示情報をターゲットUEに送信し、第1の指示情報は、第2のPCRSポートセット内の少なくとも1つのPCRSポートのポート番号を示すために使用されること
を含み得る。
【０１４０】
この実施形態では、eNBは、第2のPCRSポートセット内の少なくとも1つのPCRSポートのポート番号をターゲットUEに送信することができ、それによってターゲットUEは、ポート番号に基づいて第2のPCRSポートセット内の少なくとも1つのPCRSポートを決定する。
【０１４１】
具体的には、57、58、59、60、61という番号のポートを使用してPCRSを伝送することができると仮定され、5つのポートをPCRSポートと呼ぶことができる。eNBはPCRSをポート60および61に割り当て、ポート60および61は第1のPCRSポートセットを形成する。しかしながら、eNBはポート57、58、および59にPCRSを割り当てず、3つのポートは第2のPCRSポートセットを形成する。eNBによってターゲットUEに送信された第1の指示情報は、第2のPCRSポートセット内の少なくとも1つのPCRSポートのポート番号を示す。具体的には、第1の指示情報は、ポート57、58、および59に対応する識別子を運ぶ。第1の指示情報を受信した後、ターゲットUEは、情報を構文解析することによってポート57、58、および59の識別子を取得し、有効データがポート57、58、59から伝送されていると決定し、有効データを受信する。
【０１４２】
ポート番号に対応しかつデータを伝送するために使用される特定のPCRSポートに加えて、eNBは、ポート番号に対応しかつPCRSを伝送するために使用される特定のPCRSポートをターゲットUEに通知することができることを理解されたい。
【０１４３】
本出願のこの実施形態では、UEは、ポート番号を使用することによって、第1のPCRSポートセットを通じてPCRSを受信し、第2のPCRSポートセットを通じてデータを受信することを決定する。前述のように、eNBは、ポート番号に対応しかつデータを受信するために使用される特定のPCRSポートをターゲットUEに通知することができ、したがって、この解決策の実現可能性および信頼性を改善するために、eNBとUEとの間のデータおよびPCRSの送受信を決定する実現可能な方法が提供される。
【０１４４】
1．いくつかのPCRSポートを介したデータおよびPCRSの送受信を示す
【０１４５】
任意選択で、図3に対応する第2の実施形態に基づいて、本出願の実施形態で提供されるデータ伝送方法の第4の任意選択の実施形態では、ポート指示情報は第2の指示情報である。
【０１４６】
eNBがポート指示情報をターゲットUEに送信することは：
eNBが、第2の指示情報をターゲットUEに送信し、第2の指示情報は、第1のPCRSポートセット内のPCRSポートの数および／または第2のPCRSポートセット内のPCRSポートの数を示すために使用されること
を含み得る。
【０１４７】
この実施形態では、eNBは、第1のPCRSポートセット内のPCRSポートの数および／または第2のPCRSポートセット内のPCRSポートの数をターゲットUEに送信することができ、それによってターゲットUEは、PCRSポートの数に基づいて、データを受信するための特定のPCRSポートを決定する。
【０１４８】
具体的には、合計5つのPCRSポートがあると仮定すると、2つのPCRSポートの時間周波数リソース要素上でPCRSが伝送され、残りの3つのPCRSポートの時間周波数リソース要素上でデータが伝送される。eNBは第2の指示情報をターゲットUEに送信し、UEは、受信した第2の指示情報を構文解析することによって、2つのPCRSポートがPCRSの伝送に現在使用され、他の3つのPCRSポートはデータの伝送に使用されることを知る。したがって、指示情報を使用してデータおよびPCRSを受信するための経路を決定することができる。
【０１４９】
第1のPCRSポートセット内のPCRSポートの数の識別子または第2のPCRSポートセット内のPCRSポートの数の識別子のいずれかが、第2の指示情報内で運ばれ得るか、または第1のPCRSポートセット内のPCRSポートの数の識別子および第2のPCRSポートセット内のPCRSポートの数の識別子の両方が、第2の指示情報内で運ばれることに留意されたい。これは本明細書に限定されない。
【０１５０】
本出願のこの実施形態では、UEは、いくつかのPCRSポートを介して、第1のPCRSポートセットを通るPCRSを受信し、第2のPCRSポートセットを通るデータを受信することを決定する。前述の方法で、eNBは、PCRSポートの数に対応しかつデータを受信するために使用される特定のPCRSポートと、PCRSポートの数に対応しかつPCRSを受信するために使用される特定のPCRSポートとをターゲットUEに通知することができ、したがって、この解決策の実現可能性および信頼性を向上させるために、eNBとUEとの間のデータおよびPCRSの送受信を決定する実行可能な方法が提供される。
【０１５１】
1．直接通知によるデータとPCRSの送受信を示す
【０１５２】
任意選択で、図3に対応する第2の実施形態に基づいて、本出願の実施形態で提供されるデータ伝送方法の第5の任意選択の実施形態では、ポート指示情報は第3の指示情報である。
【０１５３】
eNBがポート指示情報をターゲットUEに送信することは：
eNBが、第3の指示情報をターゲットUEに送信し、第3の指示情報は、第1のPCRSポートセット内のターゲットUEに割り当てられた第1の時間周波数リソース要素を示すために使用されること
を含む。
【０１５４】
この実施形態では、eNBは、PCRS割り当て情報、すなわち第3の指示情報をターゲットUEに送信し、第3の指示情報に、第1のPCRSポートセットにおいてeNBによってターゲットUEに割り当てられたPCRSの識別子およびPCRSが配置されている第1の時間周波数リソース要素を直接追加することができる。
【０１５５】
具体的には、58という番号のPCRSポートが、第1のスケジューリング期間にPCRSを伝送するために使用される必要があると仮定すると、4つの時間周波数リソース要素が占有され、これらの時間周波数リソース要素が第1の時間周波数リソース要素である。しかしながら、ターゲットUEがどの時間周波数リソース要素がPCRSを伝送するために使用されるかを知ることを可能にするために、eNBは、4つの時間周波数リソース要素の識別子を第3の指示情報に追加し、識別子は「1」、「2」、「3」、および「4」であり得る。第3の指示情報を受信した後、ターゲットUEは、その情報を構文解析することによって、PCRSを伝送するために使用されるポート58の4つの時間周波数リソース要素の識別子を取得し、ポート58から伝送されたPCRSを受信することを決定し、示されていない残りの時間周波数リソース要素に関する有効データを受信する。
【０１５６】
本出願のこの実施形態では、UEは、PCRS割り当て情報を使用することによって、PCRSを伝送するために使用される第1の時間周波数リソース要素を直接決定し、UEは第1の時間周波数リソース要素を使用することによって、eNBによって送信されたPCRSを受信する。上記のように、UEは、マッピング関係を決定する必要なしに、PCRSを受信するための特定の時間周波数リソース要素をより迅速かつ正確に知ることができ、UEのコンピューティングリソースを節約し、データ伝送の信頼性をさらに向上させる。
【０１５７】
任意選択で、図3に対応する実施形態に基づいて、本出願の実施形態で提供されるデータ伝送方法の第6の任意選択の実施形態では、eNBは、第1のPCRSポートセット内のPCRSを伝送するために使用される少なくとも1つのポートに対応する第1の時間周波数リソース要素を決定することは：
eNBがターゲットMCSを決定し、ターゲットMCSは、データをターゲットUEに送信するためにeNBによって使用されるMCSを示すために使用されること；および
eNBが、ターゲットMCSに基づいて、第1のPCRSポートセット内のPCRSを伝送するために使用される少なくとも1つのポートに対応する第1の時間周波数リソース要素を決定すること
を含み得る。
【０１５８】
さらに、ターゲットUEが、第1の時間周波数リソース要素を使用することによって第1のスケジューリング期間に、eNBによって送信されたPCRSを受信することは：
ターゲットUEが、eNBによって決定されたターゲットMCSを受信すること；および
ターゲットUEが、ターゲットMCSに基づく第1の時間周波数リソース要素を使用することによって第1のスケジューリング期間に、eNBによって送信されたPCRSを受信すること
を含み得る。
【０１５９】
この実施形態では、eNBは最初に現在のチャネル状態に基づいてターゲットMCSを決定し、次いでeNBはDCIを使用することによって現在使用されているターゲットMCSをターゲットUEに通知する。MCSとPCRSとの伝送パターンの対応関係は、eNB側とUE側の両方で維持される。この場合、ターゲットUEは、DCI内の通知されたターゲットMCSに基づいて、PCRSがPCRSポートを介して伝送されるかどうかを決定することができる。PCRSが伝送されると決定された場合、ターゲットUEは、どのポートのどの時間周波数リソース要素がPCRSを伝送するために使用されるかをさらに決定することができる。
【０１６０】
具体的には、現在利用可能なMCSに最初に番号を付けることができる。一般に、29のMCSがあり、MCSには異なるPCRSパターンを使用することができる。確かに、同じPCRSパターンが複数のMCSに対して使用されてもよい。PCRSパターンは、PCRSを送信するために使用される第1の時間周波数リソース要素である。例えば、PCRSがPCRSポート54の時間周波数リソース要素1〜3上で伝送される場合、時間周波数リソース要素1〜3は1つのPCRSパターンを形成する。別の例では、PCRSは、PCRSポート57の時間周波数リソース要素2〜7およびPCRSポート58の時間周波数リソース要素1〜4で伝送され、10個の時間周波数リソース要素は一緒になって1つのPCRSパターンを形成する。理解を容易にするために、MCSとPCRSとの伝送パターンの対応関係を表1に示すことができる。
【０１６１】
【表１】
2019537310.tif 000003
【０１６２】
上記の表に示されるように、異なるPCRSパターンに対応する時間周波数リソース要素は、位置、密度、および量において異なり得る。例えば、PCRSパターン1では、24個のサブキャリアごとに1つが占有され得、PCRSパターン2では、16個のサブキャリアごとに1つが占有され得る、等。eNBがMCS−15を使用する場合、eNBはパターン4に対応する4つのPCRSポートにPCRSを送信する。4つのPCRSポートのどの時間周波数リソース要素がPCRSを送信するために使用されるかは、本明細書では具体的には限定されない。実際の用途では、PCRSを送信するための特定の時間周波数リソース要素を、PCRSパターンで示すことができる。
【０１６３】
ただし、前述の表は一例にすぎず、PCRSパターンタイプの数は4つに限定されず、eNBによって決定されるMCSレベルの数は20に限定されないことを理解されたい。
【０１６４】
eNBは、RRCシグナリングまたはMACシグナリングなどの上位レイヤシグナリングを使用することによって、決定されたターゲットMCSをターゲットUEに通知することができ、または事前設定によりターゲットUEに使用されたターゲットMCSを直接通知することができる。実際の用途では、eNBは別の方法でターゲットMCSをターゲットUEに通知するが、これは本明細書では限定されない。
【０１６５】
本出願のこの実施形態では、eNBは、第1のPCRSポートセット内の対応する第1の時間周波数リソース要素を決定する。具体的には、eNBは最初にMCSを決定することができ、ターゲットMCSは、データをターゲットUEに送信するためにeNBによって使用されるMCSを示すために使用される。次いで、eNBは、ターゲットMCSに基づいて、第1のPCRSポートセット内のPCRSを伝送するために使用される少なくとも1つのポートに対応する第1の時間周波数リソース要素を決定する。さらに、ターゲットUEはまた、eNBによって決定されたターゲットMCSに基づいて第1の時間周波数リソース要素を使用することによって第1のスケジューリング期間に、eNBによって送信されたPCRSを受信することができる。上記のように、eNBは、制御シグナリングにおいて追加のビットを占有する必要なしに暗黙の方法で、PCRSを伝送するために使用された対応する第1の時間周波数リソース要素をUEに通知する。eNBによってスケジュールされたMCSに基づいて、UEは、制御シグナリングのオーバヘッドを減らし、通信システムの効率を改善するために、PCRSを伝送するために使用される第1の時間周波数リソース要素を知ることができる。
【０１６６】
任意選択で、図3に対応する実施形態に基づいて、本出願の実施形態で提供されるデータ伝送方法の第7の任意選択の実施形態では、eNBが第1のPCRSポートセット内のPCRSを伝送するために使用される少なくとも1つのポートに対応する第1の時間周波数リソース要素を決定することは：
eNBが、第1のスケジューリング期間にデータをターゲットUEに送信するためのスケジューリング帯域幅を決定すること；および
eNBが、スケジューリング帯域幅に基づいて、第1のPCRSポートセット内のPCRSを伝送するために使用される少なくとも1つのポートに対応する第1の時間周波数リソース要素を決定すること
を含み得る。
【０１６７】
この実施形態では、eNBは、第1のスケジューリング期間に、ターゲットUEにデータを送信するためのスケジューリング帯域幅を検出することができ、eNBは、決定されたスケジューリング帯域幅に基づいて、PCRSを伝送するために使用される第1の時間周波数リソース要素を決定する。スケジューリング帯域幅がより広い場合、eNBは単位時間内により多くのデータをターゲットUEに送信することができ、信号間の干渉が増加する可能性があるため、スケジューリング期間に伝送されるPCRSの数を増加させることができる。この場合、第1のPCRSポートセット内のPCRSを伝送するために使用される少なくとも1つのポートに対応する第1の時間周波数リソース要素が決定される。スケジューリング帯域幅が狭いと、eNBは単位時間内にターゲットUEに伝送できるデータ量が少なくなり、信号間の干渉が減少するため、スケジューリング期間に伝送されるPCRSの数を減らすことができる。この場合、第1のPCRSポートセット内のPCRSを伝送するために使用される少なくとも1つのポートに対応する第1の時間周波数リソース要素が決定される。
【０１６８】
本出願のこの実施形態では、eNBは、第1のPCRSポートセット内の対応する第1の時間周波数リソース要素を決定する。具体的には、eNBは、第1のスケジューリング期間にターゲットUEにデータを送信するためのスケジューリング帯域幅を最初に決定することができ、次いで、eNBは、スケジューリング帯域幅に基づいて、第1のPCRSポートセット内のPCRSを伝送するために使用される少なくとも1つのポートに対応する第1の時間周波数リソース要素を決定する。前述の方法で、eNBは、この解決策の実用性および操作性を改善するために、スケジューリング帯域幅に基づいて第1の時間周波数リソース要素を決定することができる。
【０１６９】
任意選択で、図3に対応する第6または第7の実施形態に基づいて、本出願の実施形態で提供されるデータ伝送方法の第8の任意選択の実施形態では、eNBが第1のPCRSポートセット内のPCRSを伝送するために使用される少なくとも1つのポートに対応する第1の時間周波数リソース要素を決定した後、方法は：
eNBが、更新された第3の時間周波数リソース要素を取得するために、第2のスケジューリング期間に第1の時間周波数リソース要素を更新すること；および
eNBが、第3の時間周波数リソース要素上でPCRSを送信するので、UEは、第3の時間周波数リソース要素上でPCRSを受信すること
をさらに含み得る。
【０１７０】
この実施形態では、eNBが、第1のスケジューリング期間にPCRSを伝送するために使用される第1の時間周波数リソース要素を決定した後、eNB内のスケジューラは次の期間、すなわち第2のスケジューリング期間のスケジューリングを開始する。
【０１７１】
具体的には、eNBは、第2のスケジューリング期間において、どのPCRSポートがPCRSの伝送に使用され、どのPCRSポートがデータの伝送に使用されるかを決定し、さらにPCRS伝送ポートのどの時間周波数リソース要素がPCRSの伝送に使用されるかを決定する。各スケジューリング期間におけるSINRは変動し得るので、eNBは実際の状況に基づいてPCRS構成を決定する必要がある。この場合、PCRS送信の各時間中に占有される時間周波数リソース要素は異なり得、そしてeNBは、異なるスケジューリング期間にPCRS構成を実行する必要がある。
【０１７２】
第1のスケジューリング期間にeNBがポート58の時間周波数リソース要素1〜5を使用してPCRSを送信すると仮定する。SINRが第2のスケジューリング期間に増加するので、eNBはまた、PCRSを伝送するために使用される時間周波数リソース要素、すなわち更新された第3の時間周波数リソース要素を追加する。具体的には、PCRSは、ポート58の時間周波数リソース要素1から7を使用することによって送信されることができ、UEはまた、時間周波数リソース要素1から7上でPCRSを受信することができる。PCRSポートであるがPCRSを伝送するために使用されない残りの時間周波数リソース要素は、依然として有効データを伝送するために使用される。
【０１７３】
さらに、本出願のこの実施形態では、eNBが、第1のPCRSポートセット内のPCRSを伝送するために使用される少なくとも1つのポートに対応する第1の時間周波数リソース要素を決定した後、eNBは、更新された第3の時間周波数リソース要素を取得するために第2のスケジューリング期間に第1の時間周波数リソース要素をさらに更新することができ、eNBは、第3の時間周波数リソース要素上でPCRSを送信する。前述のように、eNBは、各スケジューリング期間においてPCRSを動的に構成し、PCRSを伝送するために使用される時間周波数リソース要素を決定して、この解決策の実用性および柔軟性を向上させることができる。
【０１７４】
しかしながら、データ伝送効率を改善するための方法が上記の方法に開示されている。以下の解決策では、データ伝送システムにおいてICI推定を実行する方法についてさらに説明する。
【０１７５】
具体的には、eNBは最初にターゲットPCRSポートセットを決定する。ターゲットPCRSポートセットは、PCRSを伝送するために使用される少なくとも1つのポートを含み、すなわち、少なくとも1つのPCRSポートは、スケジューリング期間にPCRSを伝送するために使用される。各PCRSポートはいくつかの時間周波数リソース要素に対応する。
【０１７６】
その後、eNBは、ターゲットPCRSポートセットからターゲット時間周波数リソース要素を決定し、ターゲット時間周波数リソース要素上でPCRSを伝送する。さらに、ターゲットPCRSポートセット内の残りの時間周波数リソース要素は依然として有効データを伝送するために使用され得る。
【０１７７】
続いて、eNBは、ターゲット時間周波数リソース要素に基づいて、ターゲット時間周波数リソース要素に隣接するPCRSポートに対応する時間周波数リソース要素に対して抑制処理を実行し、抑制処理はデータ送信を実行していない。つまり、PCRSがカレントポート60の時間周波数リソース要素1〜3上で送信される場合、ポート59の時間周波数リソース要素1〜3とポート61の時間周波数リソース要素1〜3は、カレントポート60のポートの時間周波数リソース要素1〜3に隣接する。抑制処理の後に、隣接する2つの時空間周波数リソース要素群を別々に取得し、それらを第1の時空間周波数リソース要素と第2の時空間周波数リソース要素とに別々に定義することができる。
【０１７８】
eNBは、第1の時空間周波数リソース要素とターゲット時間周波数リソース要素とに基づく計算によって第1の位相雑音推定値を取得し、第2の時空間周波数リソース要素とターゲット時間周波数リソース要素とに基づく計算によって第2の位相雑音推定値を取得する。最後に、eNBは、第1の位相雑音推定値と第2の位相雑音推定値とに基づいてICI雑音推定結果を取得する。
【０１７９】
本出願のこの実施形態では、ターゲット時間周波数リソース要素に隣接する時間周波数リソース要素に信号は送信されず、ICIを補償するために、ICIの位相雑音を正確に推定することができるように、ターゲット時間周波数リソース要素に隣接する1つの時空間周波数リソース要素のICIのみがターゲット時間周波数リソース要素に基づいて受信される。これにより、データ伝送精度が向上し、端末によるデータの復調の難しさを軽減する。
【０１８０】
任意選択で、上記の実施形態に基づいて、理解を容易にするために、図4Aおよび図4Bをさらに参照することができる。図4Aおよび図4Bは、本出願の一実施形態による拡張位相雑音補償基準信号の概略図である。図4Aおよび図4Bは単なる概略図であり、本出願に対する限定として解釈されるべきではないことに留意されたい。図のPCRS0ポートとPCRS1ポートの両方がPCRSの送信に使用される。ICIを推定するために、PCRS0ポートとPCRS1ポートのサブキャリアに隣接するサブキャリアに対して抑制処理を行ってもよい。
【０１８１】
したがって、eNBは、PCRS0ポートおよびPCRS1ポートのサブキャリアに隣接するサブキャリアに対して抑圧処理を別々に行う。サブキャリア間の信号干渉を低減するために、eNBは、2つの上部サブキャリアと2つの下部サブキャリアとを別々に抑制することができる。過剰なサブキャリアまたは時間周波数リソース要素が抑制されると、抑制処理後に得られたサブキャリアまたは時間周波数リソース要素を使用してデータを伝送することができないため、データ伝送効率が低下する。
【０１８２】
なお、本実施形態におけるターゲット時間周波数リソース要素に対応するPCRSパターンについては表1の内容を参照し、MCSとPCRSとのパターンの対応関係についても表1を参照する。詳細はここでは再度説明しない。
【０１８３】
ヌルサブキャリアが予約されていない場合、各サブキャリアは上部隣接サブキャリアおよび下部隣接サブキャリアのみに干渉を有すると仮定され、任意の時間周波数リソース要素上で受信された信号を以下のように表すことができる：
R（0）＝X（0）H（0）J（0）＋X（−1）H（−1）J（−1）＋X（1）H（1）J（1）
【０１８４】
X（0）は現在の時間周波数リソース要素上のパイロットシンボルであり、H（0）は対応するチャネルであり、そしてJ（0）は位相雑音によって引き起こされる影響であり；X（−1）は、周波数領域における現在の時間周波数リソース要素の上部隣接時間周波数リソース要素上のパイロットシンボルであり、j（−1）は、位相雑音による現在のシンボルに対する上部隣接パイロットシンボルの影響であり；X（1）は、下部隣接時間周波数リソース要素上のパイロットシンボルである。
【０１８５】
この構成では、J（−1）とJ（1）を推定できず、J（−1）とJ（1）が0であると仮定するだけでJ（0）が近似的に推定される。
【０１８６】
サブキャリアの上部隣接サブキャリアと下部隣接サブキャリアの両方がヌルサブキャリアに設定されている場合、時間周波数リソース要素上で受信される信号は：
R（0）＝X（0）H（0）J（0）；
上部隣接時間周波数リソース要素上で受信される信号は：
R（−1）＝X（0）H（0）J（−1）；
下部隣接時間周波数リソース要素上で受信される信号は：
R（1）＝X（0）H（0）J（1）
である。
【０１８７】
したがって、J（0）、J（−1）、およびJ（1）を推定することができる。
【０１８８】
任意選択で、上記の実施形態に基づいて、理解を容易にするために、図5をさらに参照することができる。図5は、本出願の一実施形態による拡張復調基準信号の概略図である。図5に示すように、サブキャリアn，n＋1，n＋2，…，およびn＋P−1が復調基準信号（Demodulation Reference Signal、略してDMRS）のマッピングされたサブキャリアである場合、nおよびPは0以上の正の整数に設定され、サブキャリアn＋P，n＋P＋1，…，およびn＋P＋N−1はヌルサブキャリアである。図5において、Pの値は4、Nの値は2であり、具体的には、サブキャリア1，2，3，4はDMRSのマッピングされたサブキャリアであり、サブキャリア5および6はヌルサブキャリアである。
【０１８９】
同様に、J（0）、J（−1）、およびJ（1）を、上記の式に従って推定することができる。他のDMRSサブキャリアから各DMRSパイロットへのICIが減少され、その結果、通信システムの性能を改善するために、チャネル推定中にICIを効果的に推定して補償することができる。
【０１９０】
以下に、本出願における基地局について詳細に説明する。図6を参照すると、本出願の実施形態における基地局20は：
第1のスケジューリング期間に第1の位相雑音補償パイロット信号PCRSポートセットおよび第2のPCRSポートセットを決定するように構成された第1の決定モジュール201であって、第1のPCRSポートセットは、PCRSを伝送するために使用される少なくとも1つのポートを含むが、第2のPCRSポートセットは、第1のスケジューリング期間にPCRSを伝送するために使用されるポートを含まない、第1の決定モジュール201と、
第1の決定モジュール201によって決定された第1のPCRSポートセット内のPCRSを伝送するために使用される少なくとも1つのポートに対応する第1の時間周波数リソース要素を決定するように構成された第2の決定モジュール202と、
第1の時間周波数リソース要素の数が1以上である場合、第2の決定モジュール202によって決定された第1の時間周波数リソース要素上でターゲットユーザ機器にPCRSを送信するように構成された第1の送信モジュール203と、
第1の決定モジュール201によって決定された第2のPCRSポートセットに対応する第2の時間周波数リソース要素上でターゲットユーザ機器にデータを送信するように構成された第2の送信モジュール204と、
を含む。
【０１９１】
この実施形態では、第1の決定モジュール201は、第1のスケジューリング期間に第1の位相雑音補償パイロット信号PCRSポートセットおよび第2のPCRSポートセットを決定し、第1のPCRSポートセットは、PCRSを伝送するために使用される少なくとも1つのポートを含むが、第2のPCRSポートセットは、第1のスケジューリング期間にPCRSを伝送するために使用されるポートを含まず；第2の決定モジュール202は、第1の決定モジュール201によって決定された第1のPCRSポートセット内のPCRSを伝送するために使用される少なくとも1つのポートに対応する第1の時間周波数リソース要素を決定し；第1の時間周波数リソース要素の数が1以上である場合、第1の送信モジュール203は、第2の決定モジュール202によって決定された第1の時間周波数リソース要素上でターゲットユーザ機器にPCRSを送信し；第2の送信モジュール204は、第1の決定モジュール201によって決定された第2のPCRSポートセットに対応する第2の時間周波数リソース要素上でターゲットユーザ機器にデータを送信する。
【０１９２】
本出願のこの実施形態は、eNBを提供する。eNBは、最初に第1のスケジューリング期間において第1のPCRSポートセットおよび第2のPCRSポートセットを決定し、第1のPCRSポートセットはPCRSを伝送するために使用される少なくとも1つのポートを含むが、第2のPCRSポートセットは第1のスケジューリング期間にPCRSを伝送するために使用されるポートを含まず、次いで、eNBは、第1のPCRSポートセット内のPCRSを伝送するために使用される少なくとも1つのポートに対応する第1の時間周波数リソース要素を決定し、eNBは、第1の時間周波数リソース要素上でPCRSをターゲットUEに送信し、第2のPCRSポートセットに対応する第2の時間周波数リソース要素上でターゲットUEにデータを送信する。上記のように、スケジューリング期間において、eNBは、PCRSを伝送するために使用される第1の時間周波数リソース要素を決定し、PCRSを伝送するために使用されない残りのすべての時間周波数リソース要素上で有効データが伝送され得、PCRSポートデータ伝送効率を改善し、効果的にPCRSポートリソースを節約する。
【０１９３】
任意選択で、本出願の実施形態で提供される基地局の別の実施形態では、図7を参照すると、図6に対応する実施形態に基づいて、
基地局20は：
第2の決定モジュール202が第1のPCRSポートセット内のPCRSを伝送するために使用される少なくとも1つのポートに対応する第1の時間周波数リソース要素を決定した後、第1の時間周波数リソース要素上でターゲットユーザ機器によって送信されたPCRS受信するように構成された、第1の受信モジュール205と、
第2のPCRSポートセットに対応する第2の時間周波数リソース要素上で、ターゲットユーザ機器によって送信されたデータを受信するように構成された、第2の受信モジュール206と、
をさらに含む。
【０１９４】
本出願のこの実施形態では、eNBは、第1の時間周波数リソース要素を使用することによって、ターゲットUEによって送信されたPCRSを受信することができ、第1の時間周波数リソース要素を使用することによってPCRSをターゲットUEにさらに送信することができる。同様に、eNBは、第2の時間周波数リソース要素を使用することによって、ターゲットUEによって送信されたデータを受信し、第1の時間周波数リソース要素を使用することによってデータをターゲットUEにさらに送信することができる。上記のようにして、アップリンクデータ伝送およびダウンリンクデータ伝送の完全性が保証され、それによってこの解決策の実用性が向上する。
【０１９５】
任意選択で、本出願の実施形態で提供される基地局の別の実施形態では、図8を参照すると、図6に対応する実施形態に基づいて、
基地局20は：
第1の決定モジュール201が第1のスケジューリング期間に第1の位相雑音補償パイロット信号PCRSポートセットおよび第2のPCRSポートセットを決定した後、第1のスケジューリング期間に対応するポート指示情報を生成するように構成された生成モジュール207と、
生成モジュール207によって生成されたポート指示情報をターゲットユーザ機器に送信するように構成された第3の送信モジュール208であって、ポート指示情報は、第1のPCRSポートセットを通じてPCRSを受信し、第2のPCRSポートセットを通じてデータを受信するためにターゲットユーザ機器によって使用される、第3の送信モジュール208と、
をさらに含む。
【０１９６】
本出願のこの実施形態では、eNBが第1のスケジューリング期間に第1のPCRSポートセットおよび第2のPCRSポートセットを決定した後、eNBは第1のスケジューリング期間に対応するポート指示情報を生成し、次いでポート指示情報をターゲットUEに送信し、その結果、ターゲットUEは、ポート指示情報に従って、第1のPCRSポートセットを通じてPCRSを受信し、第2のPCRSポートセットを通じてデータを受信することを決定する。前述の方法で、この解決策の実現可能性を保証するために、eNBはポート指示情報を使用して、データを受信するための特定のPCRSポートをUEに通知することができる。さらに、eNBとUEとの間のデータおよびPCRSの送受信の状態は、この解決策の精度および信頼性を改善するために、ポート指示情報を使用することによって決定され得る。
【０１９７】
任意選択で、本出願の実施形態で提供される基地局の別の実施形態では、図9を参照すると、図8に対応する実施形態に基づいて、
ポート指示情報は第1の指示情報であり；
第3の送信モジュール208は：
第1の指示情報をターゲットユーザ機器に送信するように構成された第1の送信ユニット2081であって、第1の指示情報は、第2のPCRSポートセット内の少なくとも1つのPCRSポートのポート番号を示すために使用される、第1の送信ユニット2081
を含む。
【０１９８】
本出願のこの実施形態では、UEは、ポート番号を使用することによって、第1のPCRSポートセットを通じてPCRSを受信し、第2のPCRSポートセットを通じてデータを受信することを決定する。前述のように、eNBは、ポート番号に対応しかつデータを受信するために使用される特定のPCRSポートをターゲットUEに通知することができ、したがって、この解決策の実現可能性および信頼性を改善するために、eNBとUEとの間のデータおよびPCRSの送受信を決定する実現可能な方法が提供される。
【０１９９】
任意選択で、本出願の実施形態で提供される基地局の別の実施形態では、図10を参照すると、図8に対応する実施形態に基づいて、
ポート指示情報は第2の指示情報であり；
第3の送信モジュール208は：
第2の指示情報をターゲットユーザ機器に送信するように構成された第2の送信ユニット2082であって、第2の指示情報は、第1のPCRSポートセット内のPCRSポートの数および／または第2のPCRSポートセット内のPCRSポートの数を示すために使用される、第2の送信ユニット2082
を含む。
【０２００】
本出願のこの実施形態では、UEは、いくつかのPCRSポートを介して、第1のPCRSポートセットを通るPCRSを受信し、第2のPCRSポートセットを通るデータを受信することを決定する。前述の方法で、eNBは、PCRSポートの数に対応しかつデータを受信するために使用される特定のPCRSポートと、PCRSポートの数に対応しかつPCRSを受信するために使用される特定のPCRSポートとをターゲットUEに通知することができ、したがって、この解決策の実現可能性および信頼性を向上させるために、eNBとUEとの間のデータおよびPCRSの送受信を決定する実行可能な方法が提供される。
【０２０１】
任意選択で、本出願の実施形態で提供される基地局の別の実施形態では、図11を参照すると、図8に対応する実施形態に基づいて、
ポート指示情報は第3の指示情報であり；
第3の送信モジュール208は：
第3の指示情報をターゲットユーザ機器に送信するように構成された第3の送信ユニット2083であって、第3の指示情報は、第1のPCRSポートセット内のターゲットユーザ機器に割り当てられた第1の時間周波数リソース要素を示すために使用される、第3の送信ユニット2083
を含む。
【０２０２】
本出願のこの実施形態では、UEは、PCRS割り当て情報を使用することによって、PCRSを伝送するために使用される第1の時間周波数リソース要素を直接決定し、UEは第1の時間周波数リソース要素を使用することによって、eNBによって送信されたPCRSを受信する。上記のように、UEは、マッピング関係を決定する必要なしに、PCRSを受信するための特定の時間周波数リソース要素をより迅速かつ正確に知ることができ、UEのコンピューティングリソースを節約し、データ伝送の信頼性をさらに向上させる。
【０２０３】
任意選択で、本出願の実施形態で提供される基地局の別の実施形態では、図12を参照すると、図6に対応する実施形態に基づいて、
第2決定モジュール202は：
ターゲット変調および符号化方式MCSを決定するように構成された第1の決定ユニット2021であって、ターゲットMCSは、データをターゲットユーザ機器に送信するために基地局によって使用されるMCSを示すために使用される、第1の決定ユニット2021と、
第1の決定ユニット2021によって決定されたターゲットMCSに基づいて、第1のPCRSポートセット内のPCRSを伝送するために使用される少なくとも1つのポートに対応する第1の時間周波数リソース要素を決定するように構成された第2の決定ユニット2022と、
を含む。
【０２０４】
本出願のこの実施形態では、eNBは、第1のPCRSポートセット内の対応する第1の時間周波数リソース要素を決定する。具体的には、eNBは最初にMCSを決定することができ、ターゲットMCSは、データをターゲットUEに送信するためにeNBによって使用されるMCSを示すために使用される。次いで、eNBは、ターゲットMCSに基づいて、第1のPCRSポートセット内のPCRSを伝送するために使用される少なくとも1つのポートに対応する第1の時間周波数リソース要素を決定する。さらに、ターゲットUEはまた、eNBによって決定されたターゲットMCSに基づいて第1の時間周波数リソース要素を使用することによって第1のスケジューリング期間に、eNBによって送信されたPCRSを受信することができる。上記のように、eNBは、制御シグナリングにおいて追加のビットを占有する必要なしに暗黙の方法で、PCRSを伝送するために使用された対応する第1の時間周波数リソース要素をUEに通知する。eNBによってスケジュールされたMCSに基づいて、UEは、制御シグナリングのオーバヘッドを減らし、通信システムの効率を改善するために、PCRSを伝送するために使用される第1の時間周波数リソース要素を知ることができる。
【０２０５】
任意選択で、本出願の実施形態で提供される基地局の別の実施形態では、図13を参照すると、図6に対応する実施形態に基づいて、
第2決定モジュール202は：
第1のスケジューリング期間にターゲットユーザ機器にデータを送信するためのスケジューリング帯域幅を決定するように構成された第3の決定ユニット2023と、
第3の決定ユニット2023によって決定されたスケジューリング帯域幅に基づいて、第1のPCRSポートセット内のPCRSを伝送するために使用される少なくとも1つのポートに対応する第1の時間周波数リソース要素を決定するように構成された第4の決定ユニット2024と、
を含む。
【０２０６】
本出願のこの実施形態では、eNBは、第1のPCRSポートセット内の対応する第1の時間周波数リソース要素を決定する。具体的には、eNBは、第1のスケジューリング期間にターゲットUEにデータを送信するためのスケジューリング帯域幅を最初に決定することができ、次いで、eNBは、スケジューリング帯域幅に基づいて、第1のPCRSポートセット内のPCRSを伝送するために使用される少なくとも1つのポートに対応する第1の時間周波数リソース要素を決定する。前述の方法で、eNBは、この解決策の実用性および操作性を改善するために、スケジューリング帯域幅に基づいて第1の時間周波数リソース要素を決定することができる。
【０２０７】
任意選択で、本出願の実施形態で提供される基地局の別の実施形態で、図14を参照すると、図12または図13に対応する実施形態に基づいて、
基地局20は：
第2の決定モジュール202が、第1のPCRSポートセット内のPCRSを伝送するために使用される少なくとも1つのポートに対応する第1の時間周波数リソース要素を決定した後、更新された第3の時間周波数リソース要素を取得するために第2のスケジューリング期間に第1の時間周波数リソース要素を更新するように構成された更新モジュール209と、
更新モジュール209によって更新された第3の時間周波数リソース要素上でPCRSを送信するように構成された第4の送信モジュール210と、
をさらに含む。
【０２０８】
さらに、本出願のこの実施形態では、eNBが、第1のPCRSポートセット内のPCRSを伝送するために使用される少なくとも1つのポートに対応する第1の時間周波数リソース要素を決定した後、eNBは、更新された第3の時間周波数リソース要素を取得するために第2のスケジューリング期間に第1の時間周波数リソース要素をさらに更新することができ、eNBは、第3の時間周波数リソース要素上でPCRSを送信する。前述のように、eNBは、各スケジューリング期間においてPCRSを動的に構成し、PCRSを伝送するために使用される時間周波数リソース要素を決定して、この解決策の実用性および柔軟性を向上させることができる。
【０２０９】
上記は、本出願における基地局を詳細に説明し、以下は、ユーザ機器の観点から本出願の実施形態を詳細に説明する。図15を参照すると、本出願の実施形態におけるユーザ機器30は：
第1の時間周波数リソース要素の数が1以上である場合、第1の時間周波数リソース要素を使用することによって第1のスケジューリング期間に、基地局によって送信された位相雑音補償パイロット信号PCRSを受信するように構成された第1の受信モジュール301であって、第1の時間周波数リソース要素は、第1のPCRSポートセット内のPCRSを伝送するために使用される少なくとも1つのポートから基地局によって決定される、第1の受信モジュール301と、
第2の時間周波数リソース要素を使用することによって第1のスケジューリング期間に基地局によって送信されたデータを受信するように構成された第2の受信モジュール302であって、第2の時間周波数リソース要素は第2のPCRSポートセット内のPCRSを伝送するために使用されない時間周波数リソース要素であり、第2のPCRSポートセットは、第1のスケジューリング期間にPCRSを伝送するために使用されるポートを含まない、第2の受信モジュール302と、
を含む。
【０２１０】
この実施形態では、第1の時間周波数リソース要素の数が1以上である場合、第1の受信モジュール301は、第1の時間周波数リソース要素を使用することによって第1のスケジューリング期間に、基地局によって送信された位相雑音補償パイロット信号PCRSを受信し、第1の時間周波数リソース要素は、第1のPCRSポートセット内のPCRSを伝送するために使用される少なくとも1つのポートから基地局によって決定され；第2の受信モジュール302は、第2の時間周波数リソース要素を使用することによって第1のスケジューリング期間に、基地局によって送信されたデータを受信し、第2の時間周波数リソース要素は第2のPCRSポートセット内のPCRSを伝送するために使用されない時間周波数リソース要素であり、第2のPCRSポートセットは、第1のスケジューリング期間にPCRSを伝送するために使用されるポートを含まない。
【０２１１】
本出願のこの実施形態は、UEを提供する。eNBは、最初に第1のスケジューリング期間において第1のPCRSポートセットおよび第2のPCRSポートセットを決定し、第1のPCRSポートセットはPCRSを伝送するために使用される少なくとも1つのポートを含むが、第2のPCRSポートセットは第1のスケジューリング期間にPCRSを伝送するために使用されるポートを含まず、次いで、eNBは、第1のPCRSポートセット内のPCRSを伝送するために使用される少なくとも1つのポートに対応する第1の時間周波数リソース要素を決定し、eNBは、第1の時間周波数リソース要素上でPCRSをターゲットUEに送信し、第2のPCRSポートセットに対応する第2の時間周波数リソース要素上でターゲットUEにデータを送信する。上記のように、スケジューリング期間において、eNBは、PCRSを伝送するために使用される第1の時間周波数リソース要素を決定し、PCRSを伝送するために使用されない残りのすべての時間周波数リソース要素上で有効データが伝送され得、PCRSポートデータ伝送効率を改善し、効果的にPCRSポートリソースを節約する。
【０２１２】
任意選択で、本出願の実施形態で提供されるユーザ機器の別の実施形態において、図16を参照すると、図15に対応する実施形態に基づいて、
ユーザ機器30は：
第1の時間周波数リソース要素を使用することによってPCRSを基地局に送信するように構成された第1の送信モジュール303と、
第2の時間周波数リソース要素を使用することによって基地局にデータを送信するように構成された第2の送信モジュール304と、
をさらに含む。
【０２１３】
本出願のこの実施形態では、eNBは、第1の時間周波数リソース要素を使用することによって、ターゲットUEによって送信されたPCRSを受信することができ、第1の時間周波数リソース要素を使用することによってPCRSをターゲットUEにさらに送信することができる。同様に、eNBは、第2の時間周波数リソース要素を使用することによって、ターゲットUEによって送信されたデータを受信し、第1の時間周波数リソース要素を使用することによってデータをターゲットUEにさらに送信することができる。上記のようにして、アップリンクデータ伝送およびダウンリンクデータ伝送の完全性が保証され、それによってこの解決策の実用性が向上する。
【０２１４】
任意選択で、本出願の実施形態で提供されるユーザ機器の別の実施形態において、図17を参照すると、図15に対応する実施形態に基づいて、
ユーザ機器30は：
第1の受信モジュール301が、第1の時間周波数リソース要素を使用することによって第1のスケジューリング期間に、基地局によって送信されたPCRSを受信する前に、基地局によって送信されたポート指示情報を受信するように構成された第3の受信モジュール305であって、ポート指示情報は、第1のPCRSポートセットを通じてPCRSを受信し、第2のPCRSポートセットを通じてデータを受信するためにターゲットユーザ機器によって使用される、第3の受信モジュール305
をさらに含む。
【０２１５】
本出願のこの実施形態では、eNBが第1のスケジューリング期間に第1のPCRSポートセットおよび第2のPCRSポートセットを決定した後、eNBは第1のスケジューリング期間に対応するポート指示情報を生成し、次いでポート指示情報をターゲットUEに送信し、その結果、ターゲットUEは、ポート指示情報に従って、第1のPCRSポートセットを通じてPCRSを受信し、第2のPCRSポートセットを通じてデータを受信することを決定する。前述の方法で、この解決策の実現可能性を保証するために、eNBはポート指示情報を使用して、データを受信するための特定のPCRSポートをUEに通知することができる。さらに、eNBとUEとの間のデータおよびPCRSの送受信の状態は、この解決策の精度および信頼性を改善するために、ポート指示情報を使用することによって決定され得る。
【０２１６】
任意選択で、本出願の実施形態で提供されるユーザ機器の別の実施形態では、図18を参照すると、図17に対応する実施形態に基づいて、
ポート指示情報は第1の指示情報であり；
第3の受信モジュール305は：
基地局によって送信された第1の指示情報を受信するように構成された第1の受信ユニット3051であって、第1の指示情報は、第2のPCRSポートセット内の少なくとも1つのPCRSポートのポート番号を示すために使用される、第1の受信ユニット3051
を含む。
【０２１７】
本出願のこの実施形態では、UEは、ポート番号を使用することによって、第1のPCRSポートセットを通じてPCRSを受信し、第2のPCRSポートセットを通じてデータを受信することを決定する。前述のように、eNBは、ポート番号に対応しかつデータを受信するために使用される特定のPCRSポートをターゲットUEに通知することができ、したがって、この解決策の実現可能性および信頼性を改善するために、eNBとUEとの間のデータおよびPCRSの送受信を決定する実現可能な方法が提供される。
【０２１８】
任意選択で、本出願の実施形態で提供されるユーザ機器の別の実施形態では、図19を参照すると、図17に対応する実施形態に基づいて、
ポート指示情報は第2の指示情報であり；
第3の受信モジュール305は：
基地局によって送信された第2の指示情報を受信するように構成された第2の受信ユニット3052であって、第2の指示情報は、第1のPCRSポートセット内のPCRSポートの数および／または第2のPCRSポートセット内のPCRSポートの数を示すために使用される、第2の受信ユニット3052
を含む。
【０２１９】
本出願のこの実施形態では、UEは、いくつかのPCRSポートを介して、第1のPCRSポートセットを通るPCRSを受信し、第2のPCRSポートセットを通るデータを受信することを決定する。前述の方法で、eNBは、PCRSポートの数に対応しかつデータを受信するために使用される特定のPCRSポートと、PCRSポートの数に対応しかつPCRSを受信するために使用される特定のPCRSポートとをターゲットUEに通知することができ、したがって、この解決策の実現可能性および信頼性を向上させるために、eNBとUEとの間のデータおよびPCRSの送受信を決定する実行可能な方法が提供される。
【０２２０】
任意選択で、本出願の実施形態で提供されるユーザ機器の別の実施形態では、図20を参照すると、図17に対応する実施形態に基づいて、
ポート指示情報は第3の指示情報であり；
第3の受信モジュール305は：
基地局によって送信された第3の指示情報を受信するように構成された第3の受信ユニット3053であって、第3の指示情報は、基地局によって第1のPCRSポートセット内のターゲットユーザ機器に割り当てられた第1の時間周波数リソース要素を示すために使用される、第3の受信ユニット3053
を含む。
【０２２１】
本出願のこの実施形態では、UEは、PCRS割り当て情報を使用することによって、PCRSを伝送するために使用される第1の時間周波数リソース要素を直接決定し、UEは第1の時間周波数リソース要素を使用することによって、eNBによって送信されたPCRSを受信する。上記のように、UEは、マッピング関係を決定する必要なしに、PCRSを受信するための特定の時間周波数リソース要素をより迅速かつ正確に知ることができ、UEのコンピューティングリソースを節約し、データ伝送の信頼性をさらに向上させる。
【０２２２】
任意選択で、本出願の実施形態で提供されるユーザ機器の別の実施形態では、図21を参照すると、図15に対応する実施形態に基づいて、
第1の受信モジュール301は：
基地局によって決定されたターゲット変調および符号化方式MCSを受信するように構成された第4の受信ユニット3011であって、ターゲットMCSは、データをターゲットユーザ機器に送信するために基地局によって使用されるMCSを示すために使用される、第4の受信ユニット3011と、
第4の受信ユニット3011によって受信されたターゲットMCSに基づく第1の時間周波数リソース要素を使用することによって第1のスケジューリング期間に、基地局によって送信されたPCRSを受信するように構成された第5の受信ユニット3012と、
を含む。
【０２２３】
本出願のこの実施形態では、eNBは、第1のPCRSポートセット内の対応する第1の時間周波数リソース要素を決定する。具体的には、eNBは最初にMCSを決定することができ、ターゲットMCSは、データをターゲットUEに送信するためにeNBによって使用されるMCSを示すために使用される。次いで、eNBは、ターゲットMCSに基づいて、第1のPCRSポートセット内のPCRSを伝送するために使用される少なくとも1つのポートに対応する第1の時間周波数リソース要素を決定する。さらに、ターゲットUEはまた、eNBによって決定されたターゲットMCSに基づいて第1の時間周波数リソース要素を使用することによって第1のスケジューリング期間に、eNBによって送信されたPCRSを受信することができる。上記のように、eNBは、制御シグナリングにおいて追加のビットを占有する必要なしに暗黙の方法で、PCRSを伝送するために使用された対応する第1の時間周波数リソース要素をUEに通知する。eNBによってスケジュールされたMCSに基づいて、UEは、制御シグナリングのオーバヘッドを減らし、通信システムの効率を改善するために、PCRSを伝送するために使用される第1の時間周波数リソース要素を知ることができる。
【０２２４】
本出願の実施形態で提供されるユーザ機器の別の実施形態では、図22を参照すると、図21に対応する実施形態に基づいて、任意選択で、
ユーザ機器30は：
第1の受信モジュール301が、第1の時間周波数リソース要素を使用することによって第1のスケジューリング期間に、基地局によって送信された位相雑音補償パイロット信号PCRSを受信した後に、第3の時間周波数リソース要素上でPCRSを受信するように構成された第4の受信モジュール306であって、第3の時間周波数リソース要素は、第2のスケジューリング期間に基地局が第1の時間周波数リソース要素を更新した後に得られる、第4の受信モジュール306
をさらに含む。
【０２２５】
さらに、本出願のこの実施形態では、eNBが、第1のPCRSポートセット内のPCRSを送信するために使用される少なくとも1つのポートに対応する第1の時間周波数リソース要素を決定した後、eNBは、更新された第3の時間周波数リソース要素を取得するために第2のスケジューリング期間に第1の時間周波数リソース要素をさらに更新することができ、eNBは、第3の時間周波数リソース要素上でPCRSをターゲットUEに送信する。前述のように、eNBは、各スケジューリング期間においてPCRSを動的に構成し、PCRSを伝送するために使用される時間周波数リソース要素を決定して、この解決策の実用性および柔軟性を向上させることができる。
【０２２６】
図23は、本出願の一実施形態によるサーバの概略構造図である。サーバ400は、構成または性能が異なるために大きく異なる場合があり、1つまたは複数の中央処理ユニット（central processing units、CPU）422（例えば、1つまたは複数のプロセッサ）、メモリ432、およびアプリケーションプログラム442またはデータ444を格納する1つまたは複数の記憶媒体430（例えば、1つまたは複数の大容量記憶装置）を含み得る。メモリ432および記憶媒体430は、一時的な記憶または永久的な記憶のために使用され得る。記憶媒体430に格納されたプログラムは、1つまたは複数のモジュール（図示せず）を含んでもよく、各モジュールは、サーバ上の一連の指示操作を含み得る。さらに、中央処理ユニット422は、記憶媒体430と通信し、サーバ400上で記憶媒体430内の一連の指示操作を実行するように構成され得る。
【０２２７】
サーバ400は、1つまたは複数の電源426、1つまたは複数の有線または無線ネットワークインタフェース450、1つまたは複数の入出力インタフェース458、および／またはWindows Server（登録商標）、Mac OS X（登録商標）、Unix（登録商標）、Linux（登録商標）、FreeBSD（登録商標）などの1つまたは複数のオペレーティングシステム441をさらに含み得る。
【０２２８】
上記の実施形態においてサーバによって実行されるステップは、図23に示されるサーバ構造に基づいてもよい。
【０２２９】
本出願のこの実施形態では、基地局に含まれる中央処理ユニット422は：
第1のスケジューリング期間に第1の位相雑音補償パイロット信号PCRSポートセットおよび第2のPCRSポートセットを決定し、第1のPCRSポートセットはPCRSを伝送するために使用される少なくとも1つのポートを含むが、第2のPCRSポートセットは第1のスケジューリング期間にPCRSを伝送するために使用されるポートを含まず；
第1のPCRSポートセット内のPCRSを伝送するために使用される少なくとも1つのポートに対応する第1の時間周波数リソース要素を決定し；
第1の時間周波数リソース要素の数が1以上である場合、第1の時間周波数リソース要素上でPCRSをターゲットユーザ機器に送信し；
第2のPCRSポートセットに対応する第2の時間周波数リソース要素上でターゲットユーザ機器にデータを送信する
機能をさらに有する。
【０２３０】
任意選択で、中央処理ユニット422は：
第1の時間周波数リソース要素上で、ターゲットユーザ機器によって送信されたPCRSを受信し；
第2のPCRSポートセットに対応する第2の時間周波数リソース要素上で、ターゲットユーザ機器によって送信されたデータを受信する
ようにさらに構成される。
【０２３１】
任意選択で、中央処理ユニット422は：
第1のスケジューリング期間に対応するポート指示情報を生成し；
ポート指示情報をターゲットユーザ機器に送信し、ポート指示情報は、第1のPCRSポートセットを通じてPCRSを受信し、第2のPCRSポートセットを通じてデータを受信するためにターゲットユーザ機器によって使用される
ようにさらに構成される。
【０２３２】
任意選択で、中央処理ユニット422は：
第1の指示情報をターゲットユーザ機器に送信し、第1の指示情報は、第2のPCRSポートセット内の少なくとも1つのPCRSポートのポート番号を示すために使用される
ようにさらに構成される。
【０２３３】
任意選択で、中央処理ユニット422は：
第2の指示情報をターゲットユーザ機器に送信し、第2の指示情報は、第1のPCRSポートセット内のPCRSポートの数および／または第2のPCRSポートセット内のPCRSポートの数を示すために使用される
ようにさらに構成される。
【０２３４】
任意選択で、中央処理ユニット422は：
第3の指示情報をターゲットユーザ機器に送信し、第3の指示情報は、第1のPCRSポートセット内のターゲットユーザ機器に割り当てられた第1の時間周波数リソース要素を示すために使用される
ようにさらに構成される。
【０２３５】
任意選択で、中央処理ユニット422は：
ターゲット変調および符号化方式MCSを決定し、ターゲットMCSは、ターゲットユーザ機器にデータを送信するために基地局によって使用されるMCSを示すために使用され；
ターゲットMCSに基づいて、第1のPCRSポートセット内のPCRSを伝送するために使用される少なくとも1つのポートに対応する第1の時間周波数リソース要素を決定する
ようにさらに構成される。
【０２３６】
任意選択で、中央処理ユニット422は：
第1のスケジューリング期間にターゲットユーザ機器にデータを送信するためのスケジューリング帯域幅を決定し；
スケジューリング帯域幅に基づいて、第1のPCRSポートセット内のPCRSを伝送するために使用される少なくとも1つのポートに対応する第1の時間周波数リソース要素を決定する
ようにさらに構成される。
【０２３７】
任意選択で、中央処理ユニット422は：
更新された第3の時間周波数リソース要素を取得するために第2のスケジューリング期間に第1の時間周波数リソース要素を更新し；
第3の時間周波数リソース要素上でPCRSを送信する
ようにさらに構成される。
【０２３８】
図24に示すように、本出願の実施形態は別のUEをさらに提供する。説明を容易にするために、本出願のこの実施形態に関連する部分のみを図示する。開示されていない具体的な技術的詳細については、本出願の実施形態における方法の部分を参照されたい。UEは、携帯電話、タブレットコンピュータ、パーソナルデジタルアシスタント（Personal Digital Assistant、略してPDA）、販売時点情報（Point of Sales、略してPOS）、または車載コンピュータのような任意のUEデバイスであり得る。例えば、UEは携帯電話である。
【０２３９】
図24は、本出願のこの実施形態において提供されるUEに関連する携帯電話の部分構造のブロック図である。図24を参照すると、携帯電話は、無線周波数（Radio Frequency、略してRF）回路510、メモリ520、入力ユニット530、表示ユニット540、センサ550、オーディオ回路560、ワイファイ（wireless fidelity、略してWiFi）モジュール570、プロセッサ580、および電源590などの構成要素を含む。当業者は、図24に示される携帯電話の構造が携帯電話に対する制限を構成しないこと、および携帯電話が図に示されるものより多いかまたは少ない構成要素を含むか、またはいくつかの構成要素を組み合わせるか、または別の構成要素の配置を有するかもしれないことを理解し得る。
【０２４０】
以下、図24を参照して、携帯電話の各構成要素について詳細に説明する。
【０２４１】
RF回路510は、情報を送受信するように、または呼処理において信号を送受信するように構成され得；特に、基地局のダウンリンク情報を受信した後、ダウンリンク情報を処理のためにプロセッサ580に送信し；さらに、関連アップリンクデータを基地局に送信する。一般に、RF回路510は、アンテナ、少なくとも1つの増幅器、トランシーバ、カプラ、低雑音増幅器（Low Noise Amplifier、略してLNA）、デュプレクサなどを含むがこれらに限定されない。また、RF回路510は、無線通信を介してネットワークや他の装置とさらに通信することができる。移動体通信用グローバルシステム（Global System of Mobile communication、略してGSM（登録商標））、汎用パケット無線サービス（General Packet Radio Service、GPRS）、符号分割多元接続（Code Division Multiple Access、略してCDMA）、広帯域符号分割多元接続（Wideband Code Division Multiple Access、略してWCDMA（登録商標））、ロングタームエボリューション（Long Term Evolution、略してLTE）、電子メール、ショートメッセージサービス（Short Messaging Service、SMS）などを含むがこれらに限定されない、任意の通信規格またはプロトコルが無線通信に使用され得る。
【０２４２】
メモリ520は、ソフトウェアプログラムおよびモジュールを格納するように構成され得る。プロセッサ580は、メモリ520に格納されたソフトウェアプログラムおよびモジュールを実行することにより、携帯電話の各種機能アプリケーションおよびデータ処理を実行する。メモリ520は、主にプログラム記憶領域とデータ記憶領域とを含み得る。プログラム記憶領域は、オペレーティングシステム、少なくとも1つの機能（音声再生機能または画像再生機能など）に必要なアプリケーションプログラムなどを記憶することができる。データ記憶領域には、携帯電話の用途などに基づいて作成されたデータ（オーディオデータやアドレス帳など）が記憶され得る。また、メモリ520は、高速ランダムアクセスメモリを含むことができ、不揮発性メモリ、例えば、少なくとも1つの磁気ディスク記憶装置、フラッシュ記憶装置、または他の揮発性固体記憶装置をさらに含むことができる。
【０２４３】
入力ユニット530は、入力された数字または文字情報を受け取り、ユーザ設定および携帯電話の機能制御に関連するキー信号入力を生成するように構成され得る。具体的には、入力ユニット530は、タッチパネル531と他の入力デバイス532とを含むことができる。タッチパネル531は、タッチスクリーンとも呼ばれ、タッチパネル531上またはタッチパネル531の近くでのタッチ操作（例えば、ユーザがタッチパネル531上またはタッチパネル531の近くで指やスタイラスなどの適切なオブジェクトまたはアクセサリを用いて行った操作）を収集して、プリセットプログラムに基づいて対応する接続装置を駆動することができる。任意選択で、タッチパネル531は、タッチ検出装置とタッチコントローラとの2つの部分を含むことができる。タッチ検出装置は、ユーザのタッチ位置を検出し、タッチ操作による信号を検出して、その信号をタッチコントローラに伝送する。タッチコントローラは、タッチ検出装置からタッチ情報を受信し、そのタッチ情報をタッチ点座標に変換し、次いでタッチ点座標をプロセッサ580に送信し、プロセッサ580によって送信されたコマンドを受信して実行することができる。また、抵抗膜方式、静電容量方式、赤外線、弾性表面波などの複数の方式を用いてタッチパネル531を実現してもよい。入力ユニット530は、タッチパネル531に加えて、他の入力デバイス532をさらに含むことができる。具体的には、他の入力デバイス532は、物理的キーボード、機能キー（音量制御キーまたはオン／オフキーなど）、トラックボール、マウス、またはジョイスティックなどのうちの1つまたは複数を含み得るがこれらに限定されない。
【０２４４】
表示ユニット540は、ユーザによって入力された情報またはユーザに提供された情報と携帯電話の多様なメニューを表示するように構成され得る。表示ユニット540は表示パネル541を含むことができる。任意選択で、表示パネル541は、液晶ディスプレイ（Liquid Crystal Display、略してLCD）、有機発光ダイオード（Organic Light−Emitting Diode、略してOLED）の形態などで構成され得る。また、タッチパネル531が表示パネル541を覆っていてもよい。タッチパネル531上またはその近傍でのタッチ操作を検出すると、タッチパネル131はタッチ操作をプロセッサ580に転送してタッチイベントのタイプを判定し、プロセッサ580はタッチイベントのタイプに基づいて表示パネル541上に対応する視覚的出力を提供する。図24では、タッチパネル531と表示パネル541を独立した2つの構成要素として使用し、携帯電話の入入力機能を実現している。ただし、いくつかの実施形態では、タッチパネル531および表示パネル541は、携帯電話の入出力機能を実現するために統合されてもよい。
【０２４５】
携帯電話は、光センサ、モーションセンサ、または他のセンサなどの少なくとも1つのタイプのセンサ550をさらに含むことができる。具体的には、光センサは、周囲光センサおよび近接センサを含むことができる。環境光センサは、環境光の明るさに基づいて表示パネル541の輝度を調節することができる。携帯電話がユーザの耳に移動すると、近接センサは表示パネル541および／またはバックライトをオフにすることができる。モーションセンサの一種として、加速度センサは、あらゆる方向（一般的には3軸）の加速度の大きさを検出することができ、静止した状態で重力の大きさと方向を検出することができ、携帯電話の姿勢を識別するためのアプリケーション（横長モードと縦長モードの間の画面切り替え、関連ゲーム、磁力計の姿勢キャリブレーションなど）や振動識別（歩数計またはノックなど）に関連する機能などで使用され得る。携帯電話にさらに配置することができるジャイロスコープ、気圧計、湿度計、温度計、または赤外線センサなどの別のセンサについては、詳細は本明細書では説明されない。
【０２４６】
オーディオ回路560、ラウドスピーカ561、およびマイクロフォン562は、ユーザと携帯電話との間のオーディオインタフェースを提供し得る。オーディオ回路560は、オーディオデータを受信し、そのオーディオデータを電気信号に変換し、その電気信号をラウドスピーカ561に伝送することができ、ラウドスピーカ561はその電気信号を音声信号に変換して出力する。また、マイクロフォン562は、集音した音声信号を電気信号に変換する。オーディオ回路560は、電気信号を受信し、その電気信号をオーディオデータに変換し、次いで、そのオーディオデータを処理のためにプロセッサ580に出力する。プロセッサ580は、RF回路510を使用することによって、例えば他の携帯電話にオーディオデータを送信するか、またはさらなる処理のために音声データをメモリ520に出力する。
【０２４７】
Wi−Fiは、近距離無線伝送技術に属する。携帯電話は、Wi−Fiモジュール570を使用することによって、ユーザの電子メールの送受信、ウェブページの閲覧、ストリーミングメディアへのアクセスなどを支援することができる。Wi−Fiモジュール370は、ユーザに無線ブロードバンドインターネットアクセスを提供する。Wi−Fiモジュール570が図24に示されているが、Wi−Fiモジュール1170は携帯電話の必須の構成要素ではなく、本出願の本質を変えることなく必要に応じて省略され得ることを理解されたい。
【０２４８】
プロセッサ580は、携帯電話の制御センタであり、各種インタフェースや回線を用いて携帯電話全体の各部を接続し、メモリ520に格納されたソフトウェアプログラムおよび／またはモジュールを実行して、メモリ520に格納されたデータを呼び出すことによって、携帯電話の各種機能およびデータ処理を行い、携帯電話の全体的な監視を実行する。任意選択で、プロセッサ580は1つまたは複数の処理ユニットを含むことができる。好ましくは、アプリケーションプロセッサおよびモデムプロセッサはプロセッサ580に統合されてもよい。アプリケーションプロセッサは、主にオペレーティングシステム、ユーザインタフェース、アプリケーションプログラムなどを処理する。モデムプロセッサは主に無線通信を処理する。モデムプロセッサは代替的にプロセッサ580に統合されなくてもよいことを理解されたい。
【０２４９】
携帯電話は、各部に電力を供給する電源590（バッテリなど）をさらに備える。好ましくは、電力管理システムを使用することによって電源をプロセッサ580に論理的に接続することができ、電力管理システムを使用して充電管理、放電管理、および電力消費管理などの機能を実現する。
【０２５０】
図示されていないが、携帯電話は、カメラ、ブルートゥース（登録商標）モジュールなどをさらに含んでもよい。詳細はここでは説明しない。
【０２５１】
本出願のこの実施形態では、UEに含まれるプロセッサ580が以下の機能をさらに有する：
第1の時間周波数リソース要素の数が1以上である場合、第1の時間周波数リソース要素を使用することによって第1のスケジューリング期間に、基地局によって送信された位相雑音補償パイロット信号PCRSを受信し、第1の時間周波数リソース要素は、第1のPCRSポートセット内のPCRSを伝送するために使用される少なくとも1つのポートから基地局によって決定され；
第2の時間周波数リソース要素を使用することによって第1のスケジューリング期間に基地局によって送信されたデータを受信し、第2の時間周波数リソース要素は第2のPCRSポートセット内のPCRSを伝送するために使用されない時間周波数リソース要素であり、第2のPCRSポートセットは、第1のスケジューリング期間にPCRSを伝送するために使用されるポートを含まない。
【０２５２】
任意選択で、プロセッサ580は：
第1の時間周波数リソース要素を使用することによってPCRSを基地局に送信し；
第2の時間周波数リソース要素を使用することによってデータを基地局に送信する
ようにさらに構成される。
【０２５３】
任意選択で、プロセッサ580は：
基地局によって送信されたポート指示情報を受信し、ポート指示情報は、第1のPCRSポートセットを通じてPCRSを受信し、第2のPCRSポートセットを通じてデータを受信するためにターゲットユーザ機器によって使用される
ようにさらに構成される。
【０２５４】
任意選択で、プロセッサ580は：
基地局によって送信された第1の指示情報を受信し、第1の指示情報は、第2のPCRSポートセット内の少なくとも1つのPCRSポートのポート番号を示すために使用される
ようにさらに構成される。
【０２５５】
任意選択で、プロセッサ580は：
基地局によって送信された第2の指示情報を受信し、第2の指示情報は、第1のPCRSポートセット内のPCRSポートの数および／または第2のPCRSポートセット内のPCRSポートの数を示すために使用される
ようにさらに構成される。
【０２５６】
任意選択で、プロセッサ580は：
基地局によって送信された第3の指示情報を受信し、第3の指示情報は、基地局によって第1のPCRSポートセット内のターゲットユーザ機器に割り当てられた第1の時間周波数リソース要素を示すために使用される
ようにさらに構成される。
【０２５７】
任意選択で、プロセッサ580は：
基地局によって決定されたターゲット変調および符号化方式MCSを受信し、ターゲットMCSは、データをターゲットユーザ機器に送信するために基地局によって使用されるMCSを示すために使用され；
ターゲットMCSに基づく第1の時間周波数リソース要素を使用することによって第1のスケジューリング期間に、基地局によって送信されたPCRSを受信する
ようにさらに構成される。
【０２５８】
任意選択で、プロセッサ580は：
第3の時間周波数リソース要素上でPCRSを受信し、第3の時間周波数リソース要素は、基地局が第2のスケジューリング期間において第1の時間周波数リソース要素を更新した後に得られる
ようにさらに構成される。
【０２５９】
以下に、本出願の実施形態におけるデータ伝送システムについて説明する。図25を参照すると、本出願のこの実施形態におけるデータ伝送システムは：
基地局601およびユーザ機器602
を含む。
【０２６０】
この実施形態では、基地局601は、第1のスケジューリング期間に第1の位相雑音補償パイロット信号PCRSポートセットおよび第2のPCRSポートセットを決定し、第1のPCRSポートセットはPCRSを伝送するために使用される少なくとも1つのポートを含むが、第2のPCRSポートセットは第1のスケジューリング期間にPCRSを伝送するために使用されるポートを含まず；基地局601は、第1のPCRSポートセット内のPCRSを伝送するために使用される少なくとも1つのポートに対応する第1の時間周波数リソース要素を決定し；基地局601は、第1の時間周波数リソース要素の数が1以上である場合、第1の時間周波数リソース要素上でPCRSをターゲットユーザ機器602に送信し；基地局601は、第2のPCRSポートセットに対応する第2の時間周波数リソース要素上でターゲットユーザ機器602にデータを送信する。
【０２６１】
この実施形態では、第1の時間周波数リソース要素の数が1以上である場合、ユーザ機器602は、第1の時間周波数リソース要素を使用することによって第1のスケジューリング期間に、基地局601によって送信された位相雑音補償パイロット信号PCRSを受信し、第1の時間周波数リソース要素は、第1のPCRSポートセット内のPCRSを伝送するために使用される少なくとも1つのポートから基地局601によって決定され；ユーザ機器602は、第2の時間周波数リソース要素を使用することによって第1のスケジューリング期間に基地局601によって送信されたデータを受信し、第2の時間周波数リソース要素は第2のPCRSポートセット内のPCRSを伝送するために使用されない時間周波数リソース要素であり、第2のPCRSポートセットは、第1のスケジューリング期間にPCRSを伝送するために使用されるポートを含まない。
【０２６２】
本出願のこの実施形態はデータ伝送システムを提供する。eNBは、最初に第1のスケジューリング期間において第1のPCRSポートセットおよび第2のPCRSポートセットを決定し、第1のPCRSポートセットはPCRSを伝送するために使用される少なくとも1つのポートを含むが、第2のPCRSポートセットは第1のスケジューリング期間にPCRSを伝送するために使用されるポートを含まず、次いで、eNBは、第1のPCRSポートセット内のPCRSを伝送するために使用される少なくとも1つのポートに対応する第1の時間周波数リソース要素を決定し、eNBは、第1の時間周波数リソース要素上でPCRSをターゲットUEに送信し、第2のPCRSポートセットに対応する第2の時間周波数リソース要素上でターゲットUEにデータを送信する。上記のように、スケジューリング期間において、eNBは、PCRSを伝送するために使用される第1の時間周波数リソース要素を決定し、PCRSを伝送するために使用されない残りのすべての時間周波数リソース要素上で有効データが伝送され得、PCRSポートデータ伝送効率を改善し、効果的にPCRSポートリソースを節約する。
【０２６３】
前述のシステム、装置、およびユニットの詳細な作動プロセスのための、簡便な説明の目的で、上述の方法の実施形態において対応するプロセスが参照され得ることは、当業者であれば明確に理解することがでる。詳細はここでは説明しない。
【０２６４】
本出願で提供されるいくつかの実施形態では、開示されたシステム、装置、および方法は、他の態様で実現されてもよいことが理解されるべきである。例えば、説明した装置の実施形態は単なる例である。例えば、ユニットの部分は単に論理機能の部分であり、実際の実装においては他の部分であってもよい。例えば、複数のユニットまたはコンポーネントが組み合わされてもよく、または別のシステムに統合されてもよく、あるいは、一部の機能が無視されて、実行されなくてもよい。また、表示されたまたは議論された相互結合または直接的な結合もしくは通信接続は、いくつかのインタフェースを使用することによって実現されてもよい。装置またはユニット間の間接的な結合または通信接続は、電気的に、機械的に、または他の形式で実現されてもよい。
【０２６５】
別々の部分として記載されたユニットは、物理的に分離されていてもいなくてもよく、ユニットとして表示された部分は、物理的なユニットであってもなくてもよく、1つの位置に配置されていてもよく、または複数のネットワークユニットに分散されていてもよい。ユニットの一部またはすべては、本実施形態の解決策の目的を達成するために実際のニーズに応じて選択され得る。
【０２６６】
また、本出願の実施形態における機能ユニットは、1つの処理ユニットに組み込まれてもよく、または各ユニットは、単独で、物理的に存在してもよく、または2つ以上のユニットが1つのユニットに統合される。統合ユニットは、ハードウェアの形態で実装されてもよく、またはソフトウェア機能ユニットの形態で実装されてもよい。
【０２６７】
統合ユニットが、ソフトウェア機能ユニットの形態で実装され、独立した製品として販売または使用される場合、統合ユニットは、コンピュータ読み取り可能な記憶媒体に格納されてもよい。このような理解に基づいて、基本的に本出願の技術的解決策、または従来技術に寄与する部分、または技術的解決策のすべてもしくは一部は、ソフトウェア製品の形態で実現され得る。ソフトウェア製品は、記憶媒体に格納され、本出願の実施形態に記載の方法のステップのすべてまたは一部を実行するために、コンピュータデバイス（パーソナルコンピュータ、サーバ、またはネットワークデバイスであってもよい）を指示するためのいくつかの命令を含む。前述の記憶媒体は、例えば、USBフラッシュドライブ、リムーバブルハードディスク、読み取り専用メモリ（Read−Only Memory、略してROM）、ランダムアクセスメモリ（Random Access Memory、略してRAM）、磁気ディスク、または光ディスクなどの、プログラムコードを格納することができる任意の媒体を含む。
【０２６８】
前述の実施形態は、単に本出願の技術的解決策を説明することを意図しており、本出願を限定することを意図していない。前述の実施形態に関連して本出願を詳細に説明したが、当業者は、本出願の実施形態の技術的解決策の趣旨および範囲から逸脱することなく、前述の実施形態で説明した技術的解決策にさらなる変更を加えるか、一部のその技術的特徴に同等の置換を行うことができることを理解すべきである。
【符号の説明】
【０２６９】
20  基地局
30  ユーザ機器
131  タッチパネル
201  第1の決定モジュール
202  第2の決定モジュール
203  第1の送信モジュール
204  第2の送信モジュール
205  第1の受信モジュール
206  第2の受信モジュール
207  生成モジュール
208  第3の送信モジュール
209  更新モジュール
210  第4の送信モジュール
301  第1の受信モジュール
302  第2の受信モジュール
303  第1の送信モジュール
304  第2の送信モジュール
305  第3の受信モジュール
306  第4の受信モジュール
370  Wi−Fiモジュール
400  基地局
422  中央処理ユニット
430  記憶媒体
432  メモリ
441  オペレーティングシステム
442  アプリケーションプログラム
444  データ
450  有線または無線ネットワークインタフェース
458  入出力インタフェース
510  RF回路
520  メモリ
530  入力ユニット
531  タッチパネル
532  他の入力デバイス
540  表示ユニット
541  表示パネル
550  センサ
560  オーディオ回路
561  ラウドスピーカ
562  マイクロフォン
570  Wi−Fiモジュール
580  プロセッサ
590  電源
601  基地局
602  ユーザ機器
1170  Wi−Fiモジュール
2021  第1の決定ユニット
2022  第2の決定ユニット
2023  第3の決定ユニット
2024  第4の決定ユニット
2081  第1の送信ユニット
2082  第2の送信ユニット
2083  第3の送信ユニット
3011  第4の受信ユニット
3012  第5の受信ユニット
3051  第1の受信ユニット
3052  第2の受信ユニット
3053  第3の受信ユニット
【図１Ａ】
2019537310.tif 000004
【図１Ｂ】
2019537310.tif 000005
【図２】
2019537310.tif 000006
【図３】
2019537310.tif 000007
【図４Ａ】
2019537310.tif 000008
【図４Ｂ】
2019537310.tif 000009
【図５】
2019537310.tif 000010
【図６】
2019537310.tif 000011
【図７】
2019537310.tif 000012
【図８】
2019537310.tif 000013
【図９】
2019537310.tif 000014
【図１０】
2019537310.tif 000015
【図１１】
2019537310.tif 000016
【図１２】
2019537310.tif 000017
【図１３】
2019537310.tif 000018
【図１４】
2019537310.tif 000019
【図１５】
2019537310.tif 000020
【図１６】
2019537310.tif 000021
【図１７】
2019537310.tif 000022
【図１８】
2019537310.tif 000023
【図１９】
2019537310.tif 000024
【図２０】
2019537310.tif 000025
【図２１】
2019537310.tif 000026
【図２２】
2019537310.tif 000027
【図２３】
2019537310.tif 000028
【図２４】
2019537310.tif 000029
【図２５】
2019537310.tif 000030
【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
基地局によって、第1のスケジューリング期間に第1の位相雑音補償パイロット信号PCRSポートセットおよび第2のPCRSポートセットを決定するステップであって、前記第1のPCRSポートセットはPCRSを伝送するために使用される少なくとも1つのポートを含むが、前記第2のPCRSポートセットは前記第1のスケジューリング期間にPCRSを伝送するために使用されるポートを含まない、ステップと、
前記基地局によって、前記第1のPCRSポートセット内のPCRSを伝送するために使用される前記少なくとも1つのポートに対応する第1の時間周波数リソース要素を決定するステップと、
第1の時間周波数リソース要素の数が1以上である場合、前記基地局によって、前記第1の時間周波数リソース要素上でPCRSをユーザ機器に送信するステップと、
前記基地局によって、前記第2のPCRSポートセットに対応する第2の時間周波数リソース要素上で前記ユーザ機器にデータを送信するステップと
を含む、データ伝送方法。
【請求項２】
前記基地局によって、前記第1のPCRSポートセット内のPCRSを伝送するために使用される前記少なくとも1つのポートに対応する第1の時間周波数リソース要素を決定する前記ステップの後に、前記方法が、
前記第1の時間周波数リソース要素上で前記基地局によって、前記ユーザ機器によって送信されたPCRSを受信するステップと、
前記第2のPCRSポートセットに対応する前記第2の時間周波数リソース要素上で前記基地局によって、前記ユーザ機器によって送信されたデータを受信するステップと
をさらに含む、請求項1に記載の方法。
【請求項３】
基地局によって、第1のスケジューリング期間に第1の位相雑音補償パイロット信号PCRSポートセットおよび第2のPCRSポートセットを決定する前記ステップの後に、前記方法が、
前記基地局によって、前記第1のスケジューリング期間に対応するポート指示情報を生成するステップと、
前記基地局によって、前記ユーザ機器に前記ポート指示情報を送信するステップであって、前記ポート指示情報は、前記第1のPCRSポートセットを通じて前記PCRSを受信し、前記第2のPCRSポートセットを通じて前記データを受信するために前記ユーザ機器によって使用される、ステップと
をさらに含む、請求項1に記載の方法。
【請求項４】
前記ポート指示情報が第1の指示情報であり、
前記基地局によって、前記ポート指示情報を前記ユーザ機器に送信する前記ステップが、
前記基地局によって、前記第1の指示情報を前記ユーザ機器に送信するステップであって、前記第1の指示情報は、前記第2のPCRSポートセット内の少なくとも1つのPCRSポートのポート番号を示すために使用される、ステップ
を含む、請求項3に記載の方法。
【請求項５】
前記ポート指示情報が第2の指示情報であり、
前記基地局によって、前記ポート指示情報を前記ユーザ機器に送信する前記ステップが、
前記基地局によって、前記第2の指示情報を前記ユーザ機器に送信するステップであって、前記第2の指示情報は、前記第1のPCRSポートセット内のPCRSポートの数および／または前記第2のPCRSポートセット内のPCRSポートの数を示すために使用される、ステップ
を含む、請求項3に記載の方法。
【請求項６】
前記ポート指示情報が第3の指示情報であり、
前記基地局によって、前記ポート指示情報を前記ユーザ機器に送信する前記ステップが、
前記基地局によって、前記第3の指示情報を前記ユーザ機器に送信するステップであって、前記第3の指示情報は、前記第1のPCRSポートセット内の前記ユーザ機器に割り当てられた前記第1の時間周波数リソース要素を示すために使用される、ステップ
を含む、請求項3に記載の方法。
【請求項７】
前記基地局によって、前記第1のPCRSポートセット内のPCRSを伝送するために使用される前記少なくとも1つのポートに対応する第1の時間周波数リソース要素を決定する前記ステップが、
前記基地局によって、ターゲット変調および符号化方式MCSを決定するステップであって、前記ターゲットMCSは、前記データを前記ユーザ機器に送信するために前記基地局によって使用されるMCSを示すために使用される、ステップと、
前記ターゲットMCSに基づいて前記基地局によって、前記第1のPCRSポートセット内のPCRSを伝送するために使用される前記少なくとも1つのポートに対応する前記第1の時間周波数リソース要素を決定するステップと
を含む、請求項1に記載の方法。
【請求項８】
前記基地局によって、前記第1のPCRSポートセット内のPCRSを伝送するために使用される前記少なくとも1つのポートに対応する第1の時間周波数リソース要素を決定する前記ステップが、
前記基地局によって、前記第1のスケジューリング期間に前記ユーザ機器に前記データを送信するためのスケジューリング帯域幅を決定するステップと、
前記スケジューリング帯域幅に基づいて前記基地局によって、前記第1のPCRSポートセット内のPCRSを伝送するために使用される前記少なくとも1つのポートに対応する前記第1の時間周波数リソース要素を決定するステップと
を含む、請求項1に記載の方法。
【請求項９】
前記基地局によって、前記第1のPCRSポートセット内のPCRSを伝送するために使用される前記少なくとも1つのポートに対応する第1の時間周波数リソース要素を決定する前記ステップの後に、前記方法が、
前記基地局によって、更新された第3の時間周波数リソース要素を取得するために第2のスケジューリング期間に前記第1の時間周波数リソース要素を更新するステップと、
前記基地局によって、前記第3の時間周波数リソース要素上で前記PCRSを送信するステップと
をさらに含む、請求項7または8に記載の方法。
【請求項１０】
第1の時間周波数リソース要素の数が1以上である場合、前記第1の時間周波数リソース要素を使用することによって第1のスケジューリング期間にユーザ機器によって、基地局によって送信された位相雑音補償パイロット信号PCRSを受信するステップであって、前記第1の時間周波数リソース要素は、第1のPCRSポートセット内のPCRSを伝送するために使用される少なくとも1つのポートから前記基地局によって決定される、ステップと、
第2の時間周波数リソース要素を使用することによって前記第1のスケジューリング期間に前記ユーザ機器によって、前記基地局によって送信されたデータを受信するステップであって、前記第2の時間周波数リソース要素は第2のPCRSポートセット内のPCRSを伝送するために使用されない時間周波数リソース要素であり、前記第2のPCRSポートセットは、前記第1のスケジューリング期間にPCRSを伝送するために使用されるポートを含まない、ステップと
を含む、データ伝送方法。
【請求項１１】
前記方法が、
前記ユーザ機器によって、前記第1の時間周波数リソース要素を使用することによってPCRSを前記基地局に送信するステップと、
前記ユーザ機器によって、前記第2の時間周波数リソース要素を使用することによって前記基地局にデータを送信するステップと
をさらに含む、請求項10に記載の方法。
【請求項１２】
第1の時間周波数リソース要素を使用することによって第1のスケジューリング期間にユーザ機器によって、基地局によって送信されたPCRSを受信する前記ステップの前に、前記方法が、
前記ユーザ機器によって、前記基地局によって送信されたポート指示情報を受信するステップであって、前記ポート指示情報は、前記ユーザ機器によって、前記第1のPCRSポートセットを通じて前記PCRSを受信し、前記第2のPCRSポートセットを通じて前記データを受信するために使用される、ステップ
をさらに含む、請求項10に記載の方法。
【請求項１３】
前記ポート指示情報が第1の指示情報であり、
前記ユーザ機器によって、前記基地局によって送信されたポート指示情報を受信する前記ステップが、
前記ユーザ機器によって、前記基地局によって送信された前記第1の指示情報を受信するステップであって、前記第1の指示情報は、前記第2のPCRSポートセット内の少なくとも1つのPCRSポートのポート番号を示すために使用される、ステップ
を含む、請求項12に記載の方法。
【請求項１４】
前記ポート指示情報が第2の指示情報であり、
前記ユーザ機器によって、前記基地局によって送信されたポート指示情報を受信する前記ステップが、
前記ユーザ機器によって、前記基地局によって送信された前記第2の指示情報を受信するステップであって、前記第2の指示情報は、前記第1のPCRSポートセット内のPCRSポートの数および／または前記第2のPCRSポートセット内のPCRSポートの数を示すために使用される、ステップ
を含む、請求項12に記載の方法。
【請求項１５】
前記ポート指示情報が第3の指示情報であり、
前記ユーザ機器によって、前記基地局によって送信されたポート指示情報を受信する前記ステップが、
前記ユーザ機器によって、前記基地局によって送信された前記第3の指示情報を受信するステップであって、前記第3の指示情報は、前記基地局によって前記第1のPCRSポートセット内の前記ユーザ機器に割り当てられた前記第1の時間周波数リソース要素を示すために使用される、ステップ
を含む、請求項12に記載の方法。
【請求項１６】
第1の時間周波数リソース要素を使用することによって第1のスケジューリング期間にユーザ機器によって、基地局によって送信された位相雑音補償パイロット信号PCRSを受信する前記ステップが、
前記ユーザ機器によって、前記基地局によって決定されたターゲット変調および符号化方式MCSを受信するステップであって、前記ターゲットMCSは、前記データを前記ユーザ機器に送信するために前記基地局によって使用されるMCSを示すために使用される、ステップと、
前記ターゲットMCSに基づいて前記第1の時間周波数リソース要素を使用することによって、前記第1のスケジューリング期間に前記ユーザ機器によって、前記基地局によって送信された前記PCRSを受信するステップと
を含む、請求項10に記載の方法。
【請求項１７】
第1の時間周波数リソース要素を使用することによって第1のスケジューリング期間にユーザ機器によって、基地局によって送信された位相雑音補償パイロット信号PCRSを受信する前記ステップの後に、前記方法が、
前記ユーザ機器によって、第3の時間周波数リソース要素上で前記PCRSを受信するステップであって、前記基地局が第2のスケジューリング期間に前記第1の時間周波数リソース要素を更新した後に前記第3の時間周波数リソース要素が得られる、ステップ
をさらに含む、請求項16に記載の方法。
【請求項１８】
第1のスケジューリング期間に第1の位相雑音補償パイロット信号PCRSポートセットおよび第2のPCRSポートセットを決定するように構成された第1の決定モジュールであって、前記第1のPCRSポートセットは、PCRSを伝送するために使用される少なくとも1つのポートを含むが、前記第2のPCRSポートセットは、前記第1のスケジューリング期間にPCRSを伝送するために使用されるポートを含まない、第1の決定モジュールと、
前記第1の決定モジュールによって決定された前記第1のPCRSポートセット内のPCRSを伝送するために使用される前記少なくとも1つのポートに対応する第1の時間周波数リソース要素を決定するように構成された第2の決定モジュールと、
第1の時間周波数リソース要素の数が1以上である場合、前記第2の決定モジュールによって決定された前記第1の時間周波数リソース要素上でユーザ機器にPCRSを送信するように構成された第1の送信モジュールと、
前記第1の決定モジュールによって決定された前記第2のPCRSポートセットに対応する第2の時間周波数リソース要素上で前記ユーザ機器にデータを送信するように構成された第2の送信モジュールと、
を備える、基地局。
【請求項１９】
前記基地局が、
前記第2の決定モジュールが、前記第1のPCRSポートセット内のPCRSを伝送するために使用される前記少なくとも1つのポートに対応する前記第1の時間周波数リソース要素を決定した後、前記第1の時間周波数リソース要素上で、前記ユーザ機器によって送信されたPCRSを受信するように構成された第1の受信モジュールと、
前記第2のPCRSポートセットに対応する前記第2の時間周波数リソース要素上で、前記ユーザ機器によって送信されたデータを受信するように構成された第2の受信モジュールと
をさらに備える、請求項18に記載の基地局。
【請求項２０】
前記基地局が、
前記第1の決定モジュールが前記第1のスケジューリング期間に前記第1の位相雑音補償パイロット信号PCRSポートセットおよび前記第2のPCRSポートセットを決定した後、前記第1のスケジューリング期間に対応するポート指示情報を生成するように構成された生成モジュールと、
前記生成モジュールによって生成された前記ポート指示情報を前記ユーザ機器に送信するように構成された第3の送信モジュールであって、前記ポート指示情報は、前記第1のPCRSポートセットを通じて前記PCRSを受信し、前記第2のPCRSポートセットを通じて前記データを受信するために前記ユーザ機器によって使用される、第3の送信モジュールと
をさらに備える、請求項18に記載の基地局。
【請求項２１】
前記ポート指示情報が第1の指示情報であり、
前記第3の送信モジュールが、
前記第1の指示情報を前記ユーザ機器に送信するように構成された第1の送信ユニットであって、前記第1の指示情報は、前記第2のPCRSポートセット内の少なくとも1つのPCRSポートのポート番号を示すために使用される、第1の送信ユニット
を備える、請求項20に記載の基地局。
【請求項２２】
前記ポート指示情報が第2の指示情報であり、
前記第3の送信モジュールが、
前記第2の指示情報を前記ユーザ機器に送信するように構成された第2の送信ユニットであって、前記第2の指示情報は、前記第1のPCRSポートセット内のPCRSポートの数および／または前記第2のPCRSポートセット内のPCRSポートの数を示すために使用される、第2の送信ユニット
を備える、請求項20に記載の基地局。
【請求項２３】
前記ポート指示情報が第3の指示情報であり、
前記第3の送信モジュールが、
前記第3の指示情報を前記ユーザ機器に送信するように構成された第3の送信ユニットであって、前記第3の指示情報は、前記第1のPCRSポートセット内の前記ユーザ機器に割り当てられた前記第1の時間周波数リソース要素を示すために使用される、第3の送信ユニット
を備える、請求項20に記載の基地局。
【請求項２４】
前記第2の決定モジュールが、
ターゲット変調および符号化方式MCSを決定するように構成された第1の決定ユニットであって、前記ターゲットMCSは、前記データを前記ユーザ機器に送信するために前記基地局によって使用されるMCSを示すために使用される、第1の決定ユニットと、
前記第1の決定ユニットによって決定された前記ターゲットMCSに基づいて、前記第1のPCRSポートセット内のPCRSを伝送するために使用される前記少なくとも1つのポートに対応する前記第1の時間周波数リソース要素を決定するように構成された第2の決定ユニットと
を備える、請求項18に記載の基地局。
【請求項２５】
前記第2の決定モジュールが、
前記第1のスケジューリング期間に前記データを前記ユーザ機器に送信するためのスケジューリング帯域幅を決定するように構成された第3の決定ユニットと、
前記第3の決定ユニットによって決定された前記スケジューリング帯域幅に基づいて、前記第1のPCRSポートセット内のPCRSを伝送するために使用される前記少なくとも1つのポートに対応する前記第1の時間周波数リソース要素を決定するように構成された第4の決定ユニットと
を備える、請求項18に記載の基地局。
【請求項２６】
前記基地局が、
前記第2の決定モジュールが、前記第1のPCRSポートセット内のPCRSを伝送するために使用される前記少なくとも1つのポートに対応する前記第1の時間周波数リソース要素を決定した後、更新された第3の時間周波数リソース要素を取得するために第2のスケジューリング期間に前記第1の時間周波数リソース要素を更新するように構成された更新モジュールと、
前記更新モジュールによって更新された前記第3の時間周波数リソース要素上で前記PCRSを送信するように構成された第4の送信モジュールと
をさらに備える、請求項24または25に記載の基地局。
【請求項２７】
第1の時間周波数リソース要素の数が1以上である場合、第1の時間周波数リソース要素を使用することによって第1のスケジューリング期間に、基地局によって送信された位相雑音補償パイロット信号PCRSを受信するように構成された第1の受信モジュールであって、前記第1の時間周波数リソース要素は、第1のPCRSポートセット内のPCRSを伝送するために使用される少なくとも1つのポートから前記基地局によって決定される、第1の受信モジュールと、
第2の時間周波数リソース要素を使用することによって前記第1のスケジューリング期間に前記基地局によって送信されたデータを受信するように構成された第2の受信モジュールであって、前記第2の時間周波数リソース要素は第2のPCRSポートセット内のPCRSを伝送するために使用されない時間周波数リソース要素であり、前記第2のPCRSポートセットは、前記第1のスケジューリング期間にPCRSを伝送するために使用されるポートを含まない、第2の受信モジュールと
を備える、ユーザ機器。
【請求項２８】
前記ユーザ機器が、
前記第1の時間周波数リソース要素を使用することによってPCRSを前記基地局に送信するように構成された第1の送信モジュールと、
前記第2の時間周波数リソース要素を使用することによって前記基地局にデータを送信するように構成された第2の送信モジュールと
をさらに備える、請求項27に記載のユーザ機器。
【請求項２９】
前記ユーザ機器が、
前記第1の受信モジュールが、前記第1の時間周波数リソース要素を使用することによって前記第1のスケジューリング期間に、前記基地局によって送信された前記PCRSを受信する前に、前記基地局によって送信されたポート指示情報を受信するように構成された第3の受信モジュールであって、前記ポート指示情報は、前記第1のPCRSポートセットを通じて前記PCRSを受信し、前記第2のPCRSポートセットを通じて前記データを受信するために前記ユーザ機器によって使用される、第3の受信モジュール
をさらに備える、請求項27に記載のユーザ機器。
【請求項３０】
前記ポート指示情報が第1の指示情報であり、
前記第3の受信モジュールが、
前記基地局によって送信された前記第1の指示情報を受信するように構成された第1の受信ユニットであって、前記第1の指示情報は、前記第2のPCRSポートセット内の少なくとも1つのPCRSポートのポート番号を示すために使用される、第1の受信ユニット
を備える、請求項29に記載のユーザ機器。
【請求項３１】
前記ポート指示情報が第2の指示情報であり、
前記第3の受信モジュールが、
前記基地局によって送信された前記第2の指示情報を受信するように構成された第2の受信ユニットであって、前記第2の指示情報は、前記第1のPCRSポートセット内のPCRSポートの数および／または前記第2のPCRSポートセット内のPCRSポートの数を示すために使用される、第2の受信ユニット
を備える、請求項29に記載のユーザ機器。
【請求項３２】
前記ポート指示情報が第3の指示情報であり、
前記第3の受信モジュールが、
前記基地局によって送信された前記第3の指示情報を受信するように構成された第3の受信ユニットであって、前記第3の指示情報は、前記基地局によって前記第1のPCRSポートセット内の前記ユーザ機器に割り当てられた前記第1の時間周波数リソース要素を示すために使用される、第3の受信ユニット
を備える、請求項29に記載のユーザ機器。
【請求項３３】
前記第1の受信モジュールが、
前記基地局によって決定されたターゲット変調および符号化方式MCSを受信するように構成された第4の受信ユニットであって、前記ターゲットMCSは、前記データを前記ユーザ機器に送信するために前記基地局によって使用されるMCSを示すために使用される、第4の受信ユニットと、
前記第4の受信ユニットによって受信された前記ターゲットMCSに基づく前記第1の時間周波数リソース要素を使用することによって前記第1のスケジューリング期間に、前記基地局によって送信された前記PCRSを受信するように構成された第5の受信ユニットと
を備える、請求項27に記載のユーザ機器。
【請求項３４】
前記ユーザ機器が、
前記第1の受信モジュールが、前記第1の時間周波数リソース要素を使用することによって前記第1のスケジューリング期間に、前記基地局によって送信された前記位相雑音補償パイロット信号PCRSを受信した後に、第3の時間周波数リソース要素上で前記PCRSを受信するように構成された第4の受信モジュールであって、前記第3の時間周波数リソース要素は、第2のスケジューリング期間に前記基地局が前記第1の時間周波数リソース要素を更新した後に得られる、第4の受信モジュール
をさらに備える、請求項33に記載のユーザ機器。
【請求項３５】
プロセッサと、前記プロセッサによる実行のための命令を格納する格納媒体と、を備える装置であって、前記命令が実行される場合に前記プロセッサが請求項１から１７のいずれか１項に記載の方法のステップを実行するよう構成されるものである、装置。
【請求項３６】
通信デバイスのプロセッサ上で実行されるときに、前記通信デバイスに請求項１から１７のいずれか１項に記載の方法のステップを実行させるものである、コンピュータプログラムコードを備えるコンピュータプログラム。
【手続補正２】
【補正対象書類名】明細書
【補正対象項目名】００１４
【補正方法】変更
【補正の内容】
【００１４】
本出願のこの実施形態では、eNBは、第1の時間周波数リソース要素を使用することによって、ターゲットUEによって送信されたPCRSを受信することができ、第1の時間周波数リソース要素を使用することによってPCRSをターゲットUEにさらに送信することができる。同様に、eNBは、第2の時間周波数リソース要素を使用することによって、ターゲットUEによって送信されたデータを受信し、第2の時間周波数リソース要素を使用することによってデータをターゲットUEにさらに送信することができる。上記のようにして、アップリンクデータ伝送およびダウンリンクデータ伝送の完全性が保証され、それによってこの解決策の実用性が向上する。
【手続補正３】
【補正対象書類名】明細書
【補正対象項目名】００４１
【補正方法】変更
【補正の内容】
【００４１】
本出願のこの実施形態では、eNBは、第1の時間周波数リソース要素を使用することによって、ターゲットUEによって送信されたPCRSを受信することができ、第1の時間周波数リソース要素を使用することによってPCRSをターゲットUEにさらに送信することができる。同様に、eNBは、第2の時間周波数リソース要素を使用することによって、ターゲットUEによって送信されたデータを受信し、第2の時間周波数リソース要素を使用することによってデータをターゲットUEにさらに送信することができる。上記のようにして、アップリンクデータ伝送およびダウンリンクデータ伝送の完全性が保証され、それによってこの解決策の実用性が向上する。
【手続補正４】
【補正対象書類名】明細書
【補正対象項目名】０１３１
【補正方法】変更
【補正の内容】
【０１３１】
本出願のこの実施形態では、eNBは、第1の時間周波数リソース要素を使用することによって、ターゲットUEによって送信されたPCRSを受信することができ、第1の時間周波数リソース要素を使用することによってPCRSをターゲットUEにさらに送信することができる。同様に、eNBは、第2の時間周波数リソース要素を使用することによって、ターゲットUEによって送信されたデータを受信し、第2の時間周波数リソース要素を使用することによってデータをターゲットUEにさらに送信することができる。上記のようにして、アップリンクデータ伝送およびダウンリンクデータ伝送の完全性が保証され、それによってこの解決策の実用性が向上する。
【手続補正５】
【補正対象書類名】明細書
【補正対象項目名】０１９４
【補正方法】変更
【補正の内容】
【０１９４】
本出願のこの実施形態では、eNBは、第1の時間周波数リソース要素を使用することによって、ターゲットUEによって送信されたPCRSを受信することができ、第1の時間周波数リソース要素を使用することによってPCRSをターゲットUEにさらに送信することができる。同様に、eNBは、第2の時間周波数リソース要素を使用することによって、ターゲットUEによって送信されたデータを受信し、第2の時間周波数リソース要素を使用することによってデータをターゲットUEにさらに送信することができる。上記のようにして、アップリンクデータ伝送およびダウンリンクデータ伝送の完全性が保証され、それによってこの解決策の実用性が向上する。
【手続補正６】
【補正対象書類名】明細書
【補正対象項目名】０２１３
【補正方法】変更
【補正の内容】
【０２１３】
本出願のこの実施形態では、eNBは、第1の時間周波数リソース要素を使用することによって、ターゲットUEによって送信されたPCRSを受信することができ、第1の時間周波数リソース要素を使用することによってPCRSをターゲットUEにさらに送信することができる。同様に、eNBは、第2の時間周波数リソース要素を使用することによって、ターゲットUEによって送信されたデータを受信し、第2の時間周波数リソース要素を使用することによってデータをターゲットUEにさらに送信することができる。上記のようにして、アップリンクデータ伝送およびダウンリンクデータ伝送の完全性が保証され、それによってこの解決策の実用性が向上する。
【手続補正７】
【補正対象書類名】明細書
【補正対象項目名】０２２９
【補正方法】変更
【補正の内容】
【０２２９】
本出願のこの実施形態では、サーバに含まれる中央処理ユニット422は：
第1のスケジューリング期間に第1の位相雑音補償パイロット信号PCRSポートセットおよび第2のPCRSポートセットを決定し、第1のPCRSポートセットはPCRSを伝送するために使用される少なくとも1つのポートを含むが、第2のPCRSポートセットは第1のスケジューリング期間にPCRSを伝送するために使用されるポートを含まず；
第1のPCRSポートセット内のPCRSを伝送するために使用される少なくとも1つのポートに対応する第1の時間周波数リソース要素を決定し；
第1の時間周波数リソース要素の数が1以上である場合、第1の時間周波数リソース要素上でPCRSをターゲットユーザ機器に送信し；
第2のPCRSポートセットに対応する第2の時間周波数リソース要素上でターゲットユーザ機器にデータを送信する
機能をさらに有する。
【手続補正８】
【補正対象書類名】明細書
【補正対象項目名】０２４１
【補正方法】変更
【補正の内容】
【０２４１】
RF回路510は、情報を送受信するように、または呼処理において信号を送受信するように構成され得；特に、基地局のダウンリンク情報を受信した後、ダウンリンク情報を処理のためにプロセッサ580に送信し；さらに、関連アップリンクデータを基地局に送信する。一般に、RF回路510は、アンテナ、少なくとも1つの増幅器、トランシーバ、カプラ、低雑音増幅器（Low Noise Amplifier、略してLNA）、デュプレクサなどを含むがこれらに限定されない。また、RF回路510は、無線通信を介してネットワークや他の装置とさらに通信することができる。移動体通信用グローバルシステム（Global System of Mobile communication、略してGSM（登録商標））、汎用パケット無線サービス（General Packet Radio Service、GPRS）、符号分割多元接続（Code Division Multiple Access、略してCDMA）、広帯域符号分割多元接続（Wideband Code Division Multiple Access、略してWCDMA（登録商標））、ロングタームエボリューション（Long Term Evolution、略してLTE）、電子メール、ショートメッセージサービス（Short Message Service、SMS）などを含むがこれらに限定されない、任意の通信規格またはプロトコルが無線通信に使用され得る。
【手続補正９】
【補正対象書類名】明細書
【補正対象項目名】０２４４
【補正方法】変更
【補正の内容】
【０２４４】
表示ユニット540は、ユーザによって入力された情報またはユーザに提供された情報と携帯電話の多様なメニューを表示するように構成され得る。表示ユニット540は表示パネル541を含むことができる。任意選択で、表示パネル541は、液晶ディスプレイ（Liquid Crystal Display、略してLCD）、有機発光ダイオード（Organic Light−Emitting Diode、略してOLED）の形態などで構成され得る。また、タッチパネル531が表示パネル541を覆っていてもよい。タッチパネル531上またはその近傍でのタッチ操作を検出すると、タッチパネル131はタッチ操作をプロセッサ580に転送してタッチイベントのタイプを判定し、プロセッサ580はタッチイベントのタイプに基づいて表示パネル541上に対応する視覚的出力を提供する。図24では、タッチパネル531と表示パネル541を独立した2つの構成要素として使用し、携帯電話の入出力機能を実現している。ただし、いくつかの実施形態では、タッチパネル531および表示パネル541は、携帯電話の入出力機能を実現するために統合されてもよい。
【国際調査報告】
2019537310.tif 000031
2019537310.tif 000032
2019537310.tif 000033
2019537310.tif 000034